(57)【要約】  本発明は、モバイルコンピューティング技術に係り、より詳しくは、第１情報処理装置、第２情報処理装置、並びにこれら間のデータ処理システム及び方法に関する。本発明の一実施形態による第１情報処理装置は、ディスプレイ部と、前記ディスプレイ部の全部または一部のディスプレイ領域上に表示される色相情報を含む端末器コール信号を表示するように前記ディスプレイ部を制御し、第１ネットワークに連結されている制御部と、を含み、前記第１ネットワークと同一であるか異なる第２ネットワーク上に連結されており、前記端末器コール信号を受信するための光センサーモジュールを含む第２情報処理装置が、前記ディスプレイ部と接触して認識された前記端末器コール信号に応答して、前記第２ネットワークを介して応答信号を送出し、前記第２情報処理装置とマッピングされれば、前記応答信号に基づいて命令を実行する。【選択図】図１Ａ
2015532720.tif 000002
【特許請求の範囲】
【請求項１】
ディスプレイ部と、
前記ディスプレイ部の全部または一部のディスプレイ領域上に表示される色相情報を含む端末器コール信号を表示するように前記ディスプレイ部を制御し、第１ネットワークに連結されている制御部と、を含み、
前記第１ネットワークと同一であるか異なる第２ネットワーク上に連結されており、前記端末器コール信号を受信するための光センサーモジュールを含む他の情報処理装置が、前記ディスプレイ部と接触して認識された前記端末器コール信号に応答して、前記第２ネットワークを介して応答信号を送出し、前記他の情報処理装置とマッピングされれば、前記応答信号に基づいて命令を実行する情報処理装置。
【請求項２】
前記情報処理装置または前記他の情報処理装置は、テーブル、電子黒板、看板、電子額縁、電子本、タブレットＰＣ、スマートＴＶ、広告看板、キオスク、料金決済システム（ＰＯＳ）、クーポン発行機、展示情報案内機、地下鉄改札機、パソコン、デスクトップパソコン、ラップトップパソコン、スマートフォン、スマートパッド、コンピュータ周辺機器、家電製品、電子キー、知能型ホーム及び建物制御システム、知能型自動車情報システム、出入保安システム、認証システム、ナビゲーション、家具、ガラス窓及び壁面のうちいずれか一つまたはこれらの組み合わせを含むことを特徴とする請求項１に記載の情報処理装置。
【請求項３】
前記応答信号に基づいた命令は、前記情報処理装置と前記他の情報処理装置との間の電子的資料の送受信、伝達、交換及び共有のうち少なくともいずれか一つ、取り引き、決済、ウェブリンク、認証、保安、電子マネー、商品説明、広告、ゲーム、クーポンダウンロード、ペアリング、権限管理、ドア開閉、電源スイッチング、照明輝度調節、電力管理、モータ制御、命令スクリプト、及び前記情報処理装置、前記他の情報処理装置、または他の装置で遂行可能なソフトウェアアプリケーション実行のうち少なくともいずれか一つまたはこれらの組み合わせを含むことを特徴とする請求項１に記載の情報処理装置。
【請求項４】
前記電子的資料は、データ、メッセージ、イメージ、音楽、動画、文書、データベース、クーポン、商品説明書、地図、電子マネー、品目購買情報、決済情報、ウェブリンク情報、認証情報、保安情報、広告情報、ゲーム情報、前記情報処理装置または前記他の情報処理装置で実行可能な任意の命令の集合であるソフトウェアアプリケーション、またはこれらの組み合わせのうち少なくともいずれか一つを含むことを特徴とする請求項３に記載の情報処理装置。
【請求項５】
前記応答信号に基づいた命令は、ｈｔｔｐ（ｈｙｐｅｒ  Ｔｅｘｔ  ｔｒａｎｓｆｅｒ  ｐｒｏｔｏｃｏｌ）、ｈｔｔｐｓ（ｈｙｐｅｒ  Ｔｅｘｔ  Ｔｒａｎｓｆｅｒ  Ｐｒｏｔｏｃｏｌ  ｏｖｅｒ  Ｓｅｃｕｒｅ  Ｓｏｃｋｅｔ  Ｌａｙｅｒ）、及びＴＣＰ／ＩＰのうち少なくともいずれか一つを含む通信プロトコルを用いて実行されることを特徴とする請求項１に記載の情報処理装置。
【請求項６】
前記ディスプレイ部は、タッチスクリーンインターフェース及び非接触式インターフェースのうち少なくともいずれか一つを含み、
前記非接触式インターフェースは、生体信号センサー及び動作センサーのうち少なくともいずれか一つを含むことを特徴とする請求項１に記載の情報処理装置。
【請求項７】
前記第１及び第２ネットワークは、それぞれ近距離有無線通信網、遠距離有無線通信網、インターネット網及び移動通信網のうちいずれか一つであることを特徴とする請求項１に記載の情報処理装置。
【請求項８】
前記色相情報は、複数の色相が経時的に変化する色相シーケンス情報を含むことを特徴とする請求項１に記載の情報処理装置。
【請求項９】
前記色相シーケンス情報は、互いに隣接する先行する色相と後行する色相が異なるコントラスト比を有することを特徴とする請求項８に記載の情報処理装置。
【請求項１０】
前記端末器コール信号は、前記第１情報処理装置の識別子情報をさらに含み、
前記識別子情報は、ＩＰ（Ｉｎｔｅｒｎｅｔ  Ｐｒｏｔｏｃｏｌ）アドレス、ＭＡＣ（Ｍｅｄｉａ  Ａｃｃｅｓｓ  Ｃｏｎｔｒｏｌ）アドレス、モデムのシリアルナンバー、ネットワーク装置のシリアルナンバー、システムボードのシリアルナンバー、電子メールアドレス、ユーザ識別情報、パスワード、電話番号、位置基盤情報、ＵＤＩＤ（Ｕｎｉｑｕｅ  Ｄｅｖｉｃｅ  ＩＤ）、ハードウェアモデル名、重複を許さない文字、数字またはこれらの組み合わせ、あるいは符号化された情報を含む固有識別情報のうちいずれか一つまたはこれらの組み合わせを含むことを特徴とする請求項１に記載の情報処理装置。
【請求項１１】
他の情報処理装置のディスプレイ部の全部または一部のディスプレイ領域上に表示される色相情報を含む端末器コール信号を認識する光センサーモジュールを含み、第１ネットワークに連結され、
前記第１ネットワークと同一であるか異なる第２ネットワーク上に連結されている前記他の情報処理装置が表示する前記端末器コール信号を前記光センサーモジュールを介して認識し、前記端末器コール信号に対する応答信号を前記第１ネットワークを介して送出して、前記他の情報処理装置とマッピングされれば、前記応答信号に基づいて命令を実行する情報処理装置。
【請求項１２】
前記情報処理装置または前記他の情報処理装置は、テーブル、電子黒板、看板、電子額縁、電子本、タブレットＰＣ、スマートＴＶ、広告看板、キオスク、料金決済システム（ＰＯＳ）、クーポン発行機、展示情報案内機、地下鉄改札機、パソコン、デスクトップパソコン、ラップトップパソコン、スマートフォン、スマートパッド、コンピュータ周辺機器、家電製品、電子キー、知能型ホーム及び建物制御システム、知能型自動車情報システム、出入保安システム、認証システム、ナビゲーション、家具、ガラス窓及び壁面のうちいずれか一つまたはこれらの組み合わせを含むことを特徴とする請求項１１に記載の情報処理装置 。
【請求項１３】
前記応答信号に基づいた命令は、前記情報処理装置と前記他の情報処理装置との間の電子的資料の送受信、伝達、交換及び共有のうち少なくともいずれか一つ、取り引き、決済、ウェブリンク、認証、保安、電子マネー、商品説明、広告、ゲーム、クーポンダウンロード、ペアリング、権限管理、ドア開閉、電源スイッチング、照明輝度調節、電力管理、モータ制御、命令スクリプト、及び前記情報処理装置、前記他の情報処理装置、または他の装置で遂行可能なソフトウェアアプリケーション実行のうち少なくともいずれか一つまたはこれらの組み合わせを含むことを特徴とする請求項１１に記載の情報処理装置。
【請求項１４】
前記電子的資料は、データ、メッセージ、イメージ、音楽、動画、文書、データベース、クーポン、商品説明書、地図、電子マネー、品目購買情報、決済情報、ウェブリンク情報、認証情報、保安情報、広告情報、ゲーム情報、前記情報処理装置または前記他の情報処理装置で実行可能な任意の命令の集合であるソフトウェアアプリケーション、またはこれらの組み合わせのうち少なくともいずれか一つを含むことを特徴とする請求項１３に記載の情報処理装置。
【請求項１５】
前記応答信号に基づいた命令は、ｈｔｔｐ（ｈｙｐｅｒ  Ｔｅｘｔ  ｔｒａｎｓｆｅｒ  ｐｒｏｔｏｃｏｌ）、ｈｔｔｐｓ（ｈｙｐｅｒ  Ｔｅｘｔ  Ｔｒａｎｓｆｅｒ  Ｐｒｏｔｏｃｏｌ  ｏｖｅｒ  Ｓｅｃｕｒｅ  Ｓｏｃｋｅｔ  Ｌａｙｅｒ）、及びＴＣＰ／ＩＰのうち少なくともいずれか一つを含む通信プロトコルを用いて実行されることを特徴とする請求項１１に記載の情報処理装置。
【請求項１６】
前記光センサーモジュールは、前記ディスプレイ領域に前記ディスプレイ領域と焦点距離未満で隣接したり、前記ディスプレイ領域と接触して、前記端末器コール信号を受信することを特徴とする請求項１１に記載の情報処理装置。
【請求項１７】
前記光センサーモジュールは、前記情報処理装置の前面及び背面のうち少なくともいずれか一つに内蔵されたことを特徴とする請求項１６に記載の情報処理装置。
【請求項１８】
前記応答信号は、前記情報処理装置の識別子情報をさらに含み、
前記識別子情報は、ＩＰ（Ｉｎｔｅｒｎｅｔ  Ｐｒｏｔｏｃｏｌ）アドレス、ＭＡＣ（Ｍｅｄｉａ  Ａｃｃｅｓｓ  Ｃｏｎｔｒｏｌ）アドレス、モデムのシリアルナンバー、ネットワーク装置のシリアルナンバー、システムボードのシリアルナンバー、電子メールアドレス、ユーザ識別情報、パスワード、電話番号、位置基盤情報、ＵＤＩＤ（Ｕｎｉｑｕｅ  Ｄｅｖｉｃｅ  ＩＤ）、ハードウェアモデル名、重複を許さない任意の文字、数字またはこれらの組み合わせのうちいずれか一つ、あるいはこれらの組み合わせに基づく文字、数字またはこれらの組み合わせであるか符号化された情報を含む固有識別情報であることを特徴とする請求項１１に記載の情報処理装置。
【請求項１９】
ディスプレイ部と、前記ディスプレイ部の全部または一部のディスプレイ領域上に表示される色相情報を含む端末器コール信号を表示するように前記ディスプレイ部を制御し、第１ネットワークに連結されている制御部とを含む第１情報処理装置と、
前記第１ネットワークと同一であるか異なる第２ネットワーク上に連結され、前記端末器コール信号を受信するための光センサーモジュールを含み、前記ディスプレイ部と接触して認識された前記端末器コール信号に応答して、前記第２ネットワークを介して応答信号を送出する第２情報処理装置と、
前記端末器コール信号及び前記応答信号をマッピングさせ、前記第１情報処理装置及び前記第２情報処理装置を前記第１及び第２ネットワーク上でリンクさせるマッピングサーバと、を含み、
前記第１及び第２情報処理装置は、マッピングサーバによりリンクされれば、前記第１及び第２情報処理装置のうち少なくともいずれか一つが後続命令を実行するデータ処理システム。
【請求項２０】
前記マッピングサーバは、前記第１情報処理装置内に含まれたり、前記第１情報処理装置と独立した装置であることを特徴とする請求項１９に記載のデータ処理システム。
【請求項２１】
前記光センサーモジュールは、前記ディスプレイ領域に前記ディスプレイ領域と焦点距離未満で隣接したり、前記ディスプレイ領域と接触して、前記端末器コール信号を受信することを特徴とする請求項１９に記載のデータ処理システム。
【請求項２２】
前記第１情報処理装置が複数の第２情報処理装置とリンクされた場合、前記複数の第２情報処理装置の間に電子的資料の交換、共有、送受信及び伝達のうち少なくともいずれか一つが行われることを特徴とする請求項１９に記載のデータ処理システム。
【請求項２３】
前記第１及び第２情報処理装置は、それぞれ主装置と補助装置、マスターとスレーブ、サーバとクライアントのうちいずれか一つの関係または互いに同等な装置関係であることを特徴とする請求項１９に記載のデータ処理システム。
【請求項２４】
第１ネットワーク上に連結された第１情報処理装置のディスプレイ部の全部または一部のディスプレイ領域上に色相情報を含む端末器コール信号を表示する段階と、
前記第１ネットワークと同一であるか異なる第２ネットワーク上に連結され、第２情報処理装置の光センサーモジュールを前記ディスプレイ領域に接触して、前記端末器コール信号を受信し、前記端末器コール信号に対応する応答信号を前記第２ネットワークを介して送出する段階と、
前記端末器コール信号及び前記応答信号をマッピングさせ、前記第１情報処理装置及び前記第２情報処理装置を前記第１及び第２ネットワーク上でリンクさせる段階と、
前記応答信号に基づいて、前記第１及び第２情報処理装置のうちいずれか一方または両方が後続命令を実行する段階と、を含むデータ処理方法。
【請求項２５】
前記送出する段階は、前記光センサーモジュールが、前記ディスプレイ領域に前記ディスプレイ領域と焦点距離未満で隣接したり、前記ディスプレイ領域と接触して、前記端末器コール信号を受信することを特徴とする請求項２４に記載のデータ処理方法。
【請求項２６】
前記第１情報処理装置とリンクされた前記第２情報処理装置が複数の場合、
前記後続命令が前記複数の第２情報処理装置の間に実行されることを特徴とする請求項２４に記載のデータ処理方法。
【請求項２７】
情報処理装置により制御されるディスプレイ部の全部または一部のディスプレイ領域上に表示される色相情報を含む端末器コール信号を表示する段階と、
前記端末器コール信号を受信するための光センサーモジュールを含む他の情報処理装置が、前記ディスプレイ部と隣接したり接触して認識された前記端末器コール信号に応答して応答信号を送出し、前記端末器コール信号及び前記応答信号により、前記他の情報処理装置とマッピングされれば、前記応答信号に基づいて命令を実行する段階と、を含み、
前記情報処理装置は第１ネットワークに連結され、前記他の情報処理装置は前記第１ネットワークと同一であるか異なる第２ネットワーク上に連結される情報処理方法。
【請求項２８】
前記命令を実行する段階は、前記情報処理装置と前記他の情報処理装置との間の電子的資料の送受信、伝達、交換及び共有のうち少なくともいずれか一つ、取り引き、決済、ウェブリンク、認証、保安、電子マネー、商品説明、広告、ゲーム、クーポンダウンロード、ペアリング、権限管理、ドア開閉、電源スイッチング、照明輝度調節、電力管理、モータ制御、命令スクリプト、及び前記第１、第２情報処理装置、または他の装置で遂行可能なソフトウェアアプリケーション実行のうち少なくともいずれか一つまたはこれらの組み合わせを実行することを特徴とする請求項２７に記載の情報処理方法。
【請求項２９】
前記命令を実行する段階は、ｈｔｔｐ（ｈｙｐｅｒ  Ｔｅｘｔ  ｔｒａｎｓｆｅｒ  ｐｒｏｔｏｃｏｌ）、ｈｔｔｐｓ（ｈｙｐｅｒ  Ｔｅｘｔ  Ｔｒａｎｓｆｅｒ  Ｐｒｏｔｏｃｏｌ  ｏｖｅｒ  Ｓｅｃｕｒｅ  Ｓｏｃｋｅｔ  Ｌａｙｅｒ）、及びＴＣＰ／ＩＰのうち少なくともいずれか一つを含む通信プロトコルを用いて実行されることを特徴とする請求項２７に記載の情報処理方法。
【請求項３０】
他の情報処理装置のディスプレイ部の全部または一部のディスプレイ領域上に表示される色相情報を含む端末器コール信号を光センサーモジュールを介して認識する段階と、
前記端末器コール信号に対する応答信号を第１ネットワークを介して送出する段階と、
前記端末器コール信号及び前記応答信号により、他の情報処理装置とマッピングされれば、前記応答信号に基づいて命令を実行する段階と、を含み、
前記他の情報処理装置は、前記第１ネットワークと同一であるか異なる第２ネットワーク上に連結された情報処理方法。
【請求項３１】
前記認識する段階は、前記光センサーモジュールが、前記ディスプレイ領域の表面と焦点距離未満で隣接したり、前記ディスプレイ領域と接触して、前記端末器コール信号を認識することを特徴とする請求項３０に記載の情報処理方法。
【請求項３２】
前記命令を実行する段階は、前記情報処理装置と前記他の情報処理装置との間の電子的資料の送受信、伝達、交換及び共有のうち少なくともいずれか一つ、取り引き、決済、ウェブリンク、認証、保安、電子マネー、商品説明、広告、ゲーム、クーポンダウンロード、ペアリング、権限管理、ドア開閉、電源スイッチング、照明輝度調節、電力管理、モータ制御、命令スクリプト、及び前記第１、第２情報処理装置、または他の装置で遂行可能なソフトウェアアプリケーション実行のうち少なくともいずれか一つまたはこれらの組み合わせを実行することを特徴とする請求項３０に記載の情報処理方法。
【発明の詳細な説明】
【技術分野】
【０００１】
本発明は、データ処理技術に係り、より詳しくは、情報処理装置、並びに二つ以上の情報処理装置間のデータ処理方法及びこれを用いるデータ処理システムに関する。
【背景技術】
【０００２】
現在、無線通信市場は、スマートフォンなどの無線端末器の普及拡大に伴うアプリケーション市場が大きく活性化されている。無線通信が可能な端末器は、スマートフォンを代表として携帯電話、ネットブック、タブレットＰＣ、イーブック端末器などのモバイルコンピューティング装置に拡大しており、これに基づく新たなサービスとアプリケーション市場が創出され、多くのサービスとアプリケーションが提供されている。
【０００３】
コンピュータ装置は、従来のデスクトップパソコンとノートパソコンの単純な分類体系を超え、ユビキタス及びクラウディングコンピュータのようなネットワークに基づく様々なシステムに進化している。なお、中央処理装置及び記憶装置の高集積化及び高容量化と共に向上した移動性と、小型化及びネットワーキング技術の発達によって、これらを搭載可能な全ての応用装置にコンピュータ装置が拡張している。また、異種装置間、例えば、デスクトップパソコンのような指定されたコンピュータ装置と、スマートフォンのような携帯端末装置との間で共に作業を行ったり、情報を交換及び／または共有するためのユーザ便宜的な連動技術とこれを用いた様々なサービスの開発が要求されている。
【０００４】
一般的に、ネットワークのアクセスポイントとなる装置間のデータ通信において、相互間認識とデータ伝送は、有線連結または無線連結を必要とする。通常、このような過程は、運用体制レベルでユーザの受動操作を必要とし、物理的なポートのようなハードウェア的リソースを取り扱わなければならない困難さがある。例えば、コンピュータ装置と携帯端末装置の有線連結の場合、携帯端末装置の該当製造社ごとにその連結規格やフォームファクタが異なり、これら間の物理的連結のためには様々な規格を有するポートやアダプタを設けなければならず、前記ポートの個数によって、連結される装置間の個数が制限される。無線連結の場合には、各装置でユーザによる無線ネットワークの選択及び設定が必要であり、単一のＬＡＮに連結されなければならないといったネットワークによる制約がある。
【発明の概要】
【発明が解決しようとする課題】
【０００５】
本発明が解決しようとする課題は、他の情報処理装置と容易にリンクされてデータを移動させる情報処理装置を提供することにある。
【０００６】
本発明が解決しようとする他の課題は、異なる二つ以上の情報処理装置の相互間接続とデータ通信に係るより様々なサービスとユーザ便宜的な視覚的な技術を提供できるデータ処理方法及びシステムを提供することにある。
【０００７】
本発明が解決しようとするさらに他の課題は、上述の利点を有する異なる二つ以上の情報処理装置を含むシステムにおいて、簡単かつ容易に相互間にリンクされてデータの交換及び共有のうちいずれか一方または両方を行うデータ処理方法及びシステムを提供することにある。
【課題を解決するための手段】
【０００８】
前記課題を解決するための本発明の一実施形態による情報処理装置は、ディスプレイ部と、前記ディスプレイ部の全部または一部のディスプレイ領域上に表示される色相情報を含む端末器コール信号を表示するように前記ディスプレイ部を制御し、第１ネットワークに連結されている制御部と、を含み、前記第１ネットワークと同一であるか異なる第２ネットワーク上に連結されており、前記端末器コール信号を受信するための光センサーモジュールを含む他の情報処理装置が、前記ディスプレイ部と接触して認識された前記端末器コール信号に応答して、前記第２ネットワークを介して応答信号を送出し、前記他の情報処理装置とマッピングされれば、前記応答信号に基づいて命令を実行する。
【０００９】
前記応答信号に基づいた命令は、前記情報処理装置と前記他の情報処理装置との間の電子的資料の送受信、伝達、交換及び共有のうち少なくともいずれか一つ、取り引き、決済、ウェブリンク、認証、保安、電子マネー、商品説明、広告、ゲーム、クーポンダウンロード、ペアリング、権限管理、ドア開閉、電源スイッチング、照明輝度調節、電力管理、モータ制御、命令スクリプト、及び前記情報処理装置、前記他の情報処理装置、または他の装置で遂行可能なソフトウェアアプリケーション実行のうち少なくともいずれか一つまたはこれらの組み合わせを含んでもよい。
【００１０】
前記電子的資料は、データ、メッセージ、イメージ、音楽、動画、文書、データベース、クーポン、商品説明書、地図、電子マネー、品目購買情報、決済情報、ウェブリンク情報、認証情報、保安情報、広告情報、ゲーム情報、前記情報処理装置または前記他の情報処理装置で実行可能な任意の命令の集合であるソフトウェアアプリケーション、またはこれらの組み合わせのうち少なくともいずれか一つを含んでもよい。
【００１１】
前記応答信号に基づいた命令は、ｈｔｔｐ（ｈｙｐｅｒ  Ｔｅｘｔ  ｔｒａｎｓｆｅｒ  ｐｒｏｔｏｃｏｌ）、ｈｔｔｐｓ（ｈｙｐｅｒ  Ｔｅｘｔ  Ｔｒａｎｓｆｅｒ  Ｐｒｏｔｏｃｏｌ  ｏｖｅｒ  Ｓｅｃｕｒｅ  Ｓｏｃｋｅｔ  Ｌａｙｅｒ）、及びＴＣＰ／ＩＰのうち少なくともいずれか一つを含む通信プロトコルを用いて実行
【００１２】
前記応答信号に基づいた命令は、ｈｔｔｐ（ｈｙｐｅｒ  Ｔｅｘｔ  ｔｒａｎｓｆｅｒ  ｐｒｏｔｏｃｏｌ）、ｈｔｔｐｓ（ｈｙｐｅｒ  Ｔｅｘｔ  Ｔｒａｎｓｆｅｒ  Ｐｒｏｔｏｃｏｌ  ｏｖｅｒ  Ｓｅｃｕｒｅ  Ｓｏｃｋｅｔ  Ｌａｙｅｒ）、及びＴＣＰ／ＩＰのうち少なくともいずれか一つを含む通信プロトコルを用いて実行されてもよい。
【００１３】
前記ディスプレイ部は、タッチスクリーンインターフェース及び非接触式インターフェースのうち少なくともいずれか一つを含み、前記非接触式インターフェースは、生体信号センサー及び動作センサーのうち少なくともいずれか一つを含んでもよい。
【００１４】
前記第１及び第２ネットワークは、それぞれ近距離有無線通信網、遠距離有無線通信網、インターネット網及び移動通信網のうちいずれか一つであってもよい。
【００１５】
前記色相情報は、複数の色相が経時的に変化する色相シーケンス情報を含み、前記色相シーケンス情報は、互いに隣接する先行する色相と後行する色相が異なるコントラスト比を有してもよい。
【００１６】
前記端末器コール信号は、前記第１情報処理装置の識別子情報をさらに含み、前記識別子情報は、ＩＰ（Ｉｎｔｅｒｎｅｔ  Ｐｒｏｔｏｃｏｌ）アドレス、ＭＡＣ（Ｍｅｄｉａ  Ａｃｃｅｓｓ  Ｃｏｎｔｒｏｌ）アドレス、モデムのシリアルナンバー、ネットワーク装置のシリアルナンバー、システムボードのシリアルナンバー、電子メールアドレス、ユーザ識別情報、パスワード、電話番号、位置基盤情報、ＵＤＩＤ（Ｕｎｉｑｕｅ  Ｄｅｖｉｃｅ  ＩＤ）、ハードウェアモデル名、重複を許さない文字、数字またはこれらの組み合わせ、あるいは符号化された情報を含む固有識別情報のうちいずれか一つまたはこれらの組み合わせを含んでもよい。
【００１７】
前記課題を解決するための本発明の一実施形態による情報処理装置は、他の情報処理装置のディスプレイ部の全部または一部のディスプレイ領域上に表示される色相情報を含む端末器コール信号を認識する光センサーモジュールを含み、第１ネットワークに連結され、前記第１ネットワークと同一であるか異なる第２ネットワーク上に連結されている前記他の情報処理装置が表示する前記端末器コール信号を前記光センサーモジュールを介して認識し、前記端末器コール信号に対する応答信号を前記第１ネットワークを介して送出して、前記他の情報処理装置とマッピングされれば、前記応答信号に基づいて命令を実行する。
【００１８】
前記情報処理装置または前記他の情報処理装置は、テーブル、電子黒板、看板、電子額縁、電子本、タブレットＰＣ、スマートＴＶ、広告看板、キオスク、料金決済システム（ＰＯＳ）、クーポン発行機、展示情報案内機、地下鉄改札機、パソコン、デスクトップパソコン、ラップトップパソコン、スマートフォン、スマートパッド、コンピュータ周辺機器、家電製品、電子キー、知能型ホーム及び建物制御システム、知能型自動車情報システム、出入保安システム、認証システム、ナビゲーション、家具、ガラス窓及び壁面のうちいずれか一つまたはこれらの組み合わせを含んでもよい。
【００１９】
前記応答信号に基づいた命令は、前記情報処理装置と前記他の情報処理装置との間の電子的資料の送受信、伝達、交換及び共有のうち少なくともいずれか一つ、取り引き、決済、ウェブリンク、認証、保安、電子マネー、商品説明、広告、ゲーム、クーポンダウンロード、ペアリング、権限管理、ドア開閉、電源スイッチング、照明輝度調節、電力管理、モータ制御、命令スクリプト、及び前記情報処理装置、前記他の情報処理装置、または他の装置で遂行可能なソフトウェアアプリケーション実行のうち少なくともいずれか一つまたはこれらの組み合わせを含んでもよい。
【００２０】
前記光センサーモジュールは、前記ディスプレイ領域に前記ディスプレイ領域と焦点距離未満で隣接したり、前記ディスプレイ領域と接触して、前記端末器コール信号を受信し、前記第２情報処理装置の前面及び背面のうち少なくともいずれか一つに内蔵されてもよい。
【００２１】
前記他の課題を解決するための本発明の一実施形態によるデータ処理システムは、ディスプレイ部と、前記ディスプレイ部の全部または一部のディスプレイ領域上に表示される色相情報を含む端末器コール信号を表示するように前記ディスプレイ部を制御し、第１ネットワークに連結されている制御部とを含む第１情報処理装置と、前記第１ネットワークと同一であるか異なる第２ネットワーク上に連結され、前記端末器コール信号を受信するための光センサーモジュールを含み、前記ディスプレイ部と接触して認識された前記端末器コール信号に応答して、前記第２ネットワークを介して応答信号を送出する第２情報処理装置と、前記端末器コール信号及び前記応答信号をマッピングさせ、前記第１情報処理装置及び前記第２情報処理装置を前記第１及び第２ネットワーク上でリンクさせるマッピングサーバと、を含み、前記第１及び第２情報処理装置は、マッピングサーバによりリンクされれば、前記第１及び第２情報処理装置のうち少なくともいずれか一つが後続命令を実行する。
【００２２】
前記他の課題を解決するための本発明の一実施形態によるデータ処理方法は、第１ネットワーク上に連結された第１情報処理装置のディスプレイ部の全部または一部のディスプレイ領域上に色相情報を含む端末器コール信号を表示する段階と、前記第１ネットワークと同一であるか異なる第２ネットワーク上に連結され、第２情報処理装置の光センサーモジュールを前記ディスプレイ領域に接触して、前記端末器コール信号を受信し、前記端末器コール信号に対応する応答信号を前記第２ネットワークを介して送出する段階と、前記端末器コール信号及び前記応答信号をマッピングさせ、前記第１情報処理装置及び前記第２情報処理装置を前記第１及び第２ネットワーク上でリンクさせる段階と、前記応答信号に基づいて、前記第１及び第２情報処理装置のうちいずれか一方または両方が後続命令を実行する段階と、を含む。
【００２３】
前記さらに他の課題を解決するための本発明の一実施形態による情報処理方法は、 情報処理装置により制御されるディスプレイ部の全部または一部のディスプレイ領域上に表示される色相情報を含む端末器コール信号を表示する段階と、前記端末器コール信号を受信するための光センサーモジュールを含む他の情報処理装置が、前記ディスプレイ部と隣接したり接触して認識された前記端末器コール信号に応答して応答信号を送出し、前記端末器コール信号及び前記応答信号により、前記他の情報処理装置とマッピングされれば、前記応答信号に基づいて命令を実行する段階と、を含み、前記情報処理装置は第１ネットワークに連結され、前記他の情報処理装置は前記第１ネットワークと同一であるか異なる第２ネットワーク上に連結される。
【００２４】
前記さらに他の課題を解決するための本発明の一実施形態による情報処理方法は、 他の情報処理装置のディスプレイ部の全部または一部のディスプレイ領域上に表示される色相情報を含む端末器コール信号を光センサーモジュールを介して認識する段階と、前記端末器コール信号に対する応答信号を第１ネットワークを介して送出する段階と、前記端末器コール信号及び前記応答信号により、他の情報処理装置とマッピングされれば、前記応答信号に基づいて命令を実行する段階と、を含み、前記他の情報処理装置は、前記第１ネットワークと同一であるか異なる第２ネットワーク上に連結される。
【発明の効果】
【００２５】
本発明によれば、第１情報処理装置のディスプレイ領域上に色相情報を含む端末器コール信号を発生させ、前記ディスプレイ領域上に位置した第２情報処理装置が、光センサーモジュールを介して前記端末器コール信号を受信して応答信号を発生させ、マッピングサーバは、前記端末器コール信号及び前記応答信号を用いて、前記第１情報処理装置及び前記第２情報処理装置をマッピングさせてネットワーク上でリンクさせることにより、運用体制レベルでも複雑なハードウェア的な設定なしに二つ以上の情報処理装置の相互間接続とデータ通信を達成することができる。
【００２６】
また、前記ディスプレイ領域がタッチスクリーンインターフェースと結合されることにより、前記第１情報処理装置と前記第２情報処理装置との間で、ドラッグ・アンド・ドロップまたはタッチのようなジェスチャーによりデータの共有及び交換が行われる様々なユーザ経験及びインターフェースが提供される。
【００２７】
リンクされた前記第２情報処理装置に認証命令を通じて資格を付与し、特定の領域で使用できるようにして、特定の領域ごとに別に用いられていた既存の情報受信装置を代替することができる。
【図面の簡単な説明】
【００２８】
【図１Ａ】本発明の一実施形態による、ネットワーク上で互いにリンクされた第１情報処理装置及び第２情報処理装置を示す斜視図である。
【図１Ｂ】本発明の一実施形態による、ネットワーク上で互いにリンクされた第１情報処理装置及び第２情報処理装置を示す斜視図である。
【図２】図１に示した第１情報処理装置及び第２情報処理装置を含むマッピングシステムの概略的な構成図である。
【図３】図２に示したマッピングサーバが生成するマッピング情報を説明するための概念図である。
【図４】本発明の一実施形態によるマッピングシステムのマッピング方法を示すフローチャートである。
【図５】本発明の他の実施形態による第１情報処理装置及び第２情報処理装置を示す模式図である。
【図６】本発明のさらに他の実施形態による第１情報処理装置及び第２情報処理装置を示す模式図である。
【図７】本発明の一実施形態によるコンピュータで読み取り可能な記録メディアを示す図面である。
【発明を実施するための形態】
【００２９】
以下、添付された図面を参照して、本発明の好ましい実施形態を詳細に説明する。
【００３０】
本発明の実施形態は、当業者に本発明をさらに完全に説明するために提供されるものであり、下記の実施形態は、色々な他の形態に変形可能であり、本発明の範囲が下記の実施形態に限定されるものではない。かえって、それらの実施形態は、本開示をさらに充実かつ完全にし、当業者に本発明の思想を完全に伝達するために提供されるものである。
【００３１】
また、以下の図面において、各層の厚さやサイズは、説明の便宜及び明確性のために誇張されたものであり、図面上で、同じ符号は同じ要素を指す。本明細書で使われたように、用語“及び／または”は、当該列挙された項目のうちいずれか一つ及び一つ以上の全ての組み合わせを含む。
【００３２】
本明細書で使われた用語は、特定の実施形態を説明するために使われ、本発明を制限するためのものではない。本明細書で使われたように、単数の形態は、文脈上明確に取り立てて指摘するものでなければ、複数の形態を含む。また、本明細書で使われる場合、“含む(comprise)”及び／または“含んだ(comprising)”は、言及した形状、数字、段階、動作、部材、要素及び／またはそれらのグループの存在を特定するものであり、一つ以上の他の形状、数字、動作、部材、要素及び／またはグループの存在または付加を排除するものではない。
【００３３】
本明細書において、第１、第２などの用語は、多様な部材、部品、領域、層及び／または部分を説明するために使われるが、それらの部材、部品、領域、層及び／または部分は、それらの用語によって限定されてはならない。それらの用語は、一つの部材、部品、領域、層または部分を、他の領域、層または部分と区別するためにのみ使われる。したがって、後述する第１部材、部品、領域、層または部分は、本発明の思想から逸脱しない範囲内で、第２部材、部品、領域、層または部分を指す。
【００３４】
図１は、本発明の一実施形態による、ネットワーク上で互いにリンクされた第１情報処理装置１０及び第２情報処理装置４０を示す斜視図である。
【００３５】
図１を参照すれば、第１情報処理装置１０は、ディスプレイ部１１と、ディスプレイ部を制御し、第１ネットワークに連結されている制御部（図示せず）とを含む。第１情報処理装置１０は、第１情報処理装置１０の出力手段であるディスプレイ部１１を介して情報を表示したり、後述するようにディスプレイ部１１からタッチイベントを認識して情報を処理するようにディスプレイ部１１を制御する。第１情報処理装置１０は、例えば、ディスプレイ部１１を有するスマートＴＶ、広告看板、キオスク、料金決済システム（ＰＯＳ）、クーポン発行機、展示情報案内機、地下鉄改札機、デスクトップパソコン、タブレットＰＣ、ラップトップパソコン、スマートフォン、コンピュータ周辺機器、家電製品、知能型ホーム及び建物制御システム、知能型自動車情報システム、出入保安システム、認証システム及びナビゲーションシステムである。しかし、これは例示的であり、本発明がこれに制限されるものではない。第１情報処理装置１０は、ネットワークを介して要請された命令の処理が可能な好適な中央処理装置（ＣＰＵ）またはマイクロプロセッサ、そして、処理されたデータを臨時及び／または永久に格納するためのメモリ、ハードディスク、固体記憶装置（ＳＳＤ）、ＣＤ−ＲＯＭ及びホログラムなどの記憶装置を含む任意の好適なコンピューティング装置、及び前記コンピューティング装置を含む電子装置であってもよい。
【００３６】
第１情報処理装置１０は、図１に示すように、ディスプレイ部１１と別に固定された位置に存在する単一のシステムであってもよいし、小型化されてディスプレイ部１１に結合された装置であってもよい。選択的には、第１情報処理装置１０は、第１情報処理装置１０に含まれたコンピューティング装置を構成するリソースが単一のコンピュータシステム内に存在するものに限定されず、クラウドシステムのように前記リソースが遠隔地に分散された分散システムであってもよい。
【００３７】
ディスプレイ部１１は、典型的なデスクトップモニター形態を有しているが、ディスプレイ装置の薄膜化、大型化及びフレキシブル化によって、典型的なモニター形態のほか、テーブル、電子黒板、看板、電子本、タブレットＰＣ、スマートＴＶ、広告看板、キオスク、クーポン発行機、道案内機、博物館情報案内機、地下鉄改札機、コンピュータ、プリンター、冷蔵庫、電気レンジ、インダクション、オーブン、空調システム、スマートグリッドシステム、家電製品、ドア、認証システム、ナビゲーション、インテリジェントカーシステムのディスプレイ部のように、その形態が多様な視覚情報ディスプレイ装置で具現される。好ましくは、図１に示すように、ディスプレイ部１１は、ユーザが会議、作業、読書、食事、飲酒、教育、発表、講義、ゲームのような行為を座ったり立ったりして行うテーブル形態を有することもできる。このために、ディスプレイ部１１は、これを支持するための脚のようなテーブル支持台１３を含む。このようなテーブル形態のディスプレイ部１１が有する利点は、後述する実施形態により明らかになる。
【００３８】
ディスプレイ部１１は、発光ディスプレイ素子または非反射型ディスプレイ素子を含む。例えば、ディスプレイ部１１は、液晶ディスプレイ素子のような受動型発光素子、または有機／無機発光ダイオード、陰極線管、プラズマディスプレイパネル、及び真空蛍光ディスプレイ素子のような自発光素子を含む。これらのディスプレイ素子は例示的であり、本発明がこれに限定されるものではない。ディスプレイ部１１は、他の自発光素子または受動型発光素子を含んでもよい。後述するように、ディスプレイ部１１の色相情報は、第２情報処理装置４０の光センサーモジュールＣＭがディスプレイ部１１の表面と接触することで認識される。この場合、前記色相情報は、外光が十分でないか欠如した状態で認識されなければならないので、ディスプレイ部１１は非反射型発光素子であることが好ましい。前記光センサーモジュールＣＭは、光自体または光に含まれる情報を電気信号に変換して検知する素子であって、好ましくは光センサーモジュールであるが、本発明はこれに限定されるものではない。
【００３９】
本明細書において、第２情報処理装置４０の光センサーモジュールＣＭと、ディスプレイ部１１の表面またはディスプレイ領域ＤＡとの隣接または接触は、第２情報処理装置４０の光センサーモジュールＣＭがディスプレイ領域ＤＡから焦点距離未満に位置することを含み、好ましくは、光センサーモジュールＣＭの表面とディスプレイ領域ＤＡの表面とが触れる物理的な接触である。
【００４０】
ディスプレイ部１１は、前記テーブルの上面にディスプレイ領域ＤＡを有し、タッチイベントを認識するためのタッチスクリーンインターフェースを含む。前記タッチスクリーンインターフェースは、複数のタッチ入力が可能なマルチタッチインターフェースを含む。前記タッチスクリーンインターフェースは、当該技術分野でよく知られたように静電式または定圧式のタッチスクリーンインターフェースである。
【００４１】
他の実施形態において、前記タッチスクリーンインターフェースは、ディスプレイ領域ＤＡの平面に沿ってアレイ形態に配列される光センサー方式であってもよい。例えば、ディスプレイ領域ＤＡの所定の領域上に品物が置かれたり、身体の接触及びスタイラスペンを用いた行為によりタッチイベントが生じる場合、光センサーは、入射される光量の減少によりタッチを認識し、前記タッチを認識した光センサーの位置は、ディスプレイ領域ＤＡ上でなされた前記タッチイベントの座標を定義する。
【００４２】
さらに他の実施形態において、ディスプレイ部１１の枠部の一側にディスプレイ領域ＤＡを横切って光を放出する発光素子をアレイ形態に配置し、前記発光素子が配置される枠部の一側と対向する他側には受光素子をアレイ形態に配置し、タッチイベントによる光量の減少によりタッチイベントの位置を定義するインターフェースも可能である。上述のタッチスクリーンインターフェースは例示的であり、他の公知の好適な構成を有することもできる。
【００４３】
第１情報処理装置１０は、ディスプレイ領域ＤＡの一部に少なくとも一つのコール領域ＣＡを定義し、コール領域ＣＡに端末器コール信号を表示する。コール領域ＣＡが複数の場合、これらは互いに重ならないように離隔配置され、コール領域ＣＡごとに割り当てられる各端末器コール信号は異なる。コール領域ＣＡの形状及び大きさは多様であり、本発明がこれに限定されるものではない。例えば、図１に示すように、第２情報処理装置４０よりも大きい面積を有し、円形である。しかし、これは例示的であり、コール領域ＣＡの形状は、楕円形、四角形及び五角形などの他の多角形状であってもよい。
【００４４】
一実施形態において、コール領域ＣＡの位置は予め設定される。例えば、ディスプレイ部１１のテーブル形態を考慮して、ユーザが位置するところに隣接してコール領域ＣＡを設定する。例えば、第１情報処理装置１０が四角形の４人用テーブルである場合、コール領域ＣＡは、ディスプレイ領域ＤＡの上端、下端、左端及び右端に４等分された領域のうちいずれか一つまたは複数の領域にそれぞれ配置される。図１では、それぞれ左下端及び右上端にコール領域ＣＡ＿１、ＣＡ＿２が設定されたことを例示する。
【００４５】
他の実施形態において、ディスプレイ部１１が前記タッチスクリーンインターフェースを含む場合、コール領域は予め設定されず、ディスプレイ領域ＤＡのどの場所に第２情報処理装置４０が置かれたり、指またはスタイラスペンのような品物の接触によるタッチイベントが生じれば、ディスプレイ領域ＤＡ上で生じた前記タッチイベントの位置が感知され、前記タッチイベントが生じた領域に当該コール領域が生成される。
【００４６】
コール領域ＣＡには、色相情報を含む端末器コール信号が表示される。コール領域ＣＡ内に表示される前記端末器コール信号は、当該コール領域の全体を満たす方式により表示される。前記色相情報は、一つの色相で構成されるか、複数の色相が経時的に変化する色相シーケンス情報を含む。前記色相情報は、赤色、緑色、青色のような有彩色及び白色、灰色、黒色のような無彩色のうちいずれか一方または両方を含む。好ましくは、前記色相シーケンス情報は、有彩色と無彩色が一部または全部に経時的に交番する色相シーケンス情報を含む。また、前記色相シーケンス情報は、互いに隣接する先行する色相と後行する色相が異なるコントラスト比を有する。前記コントラスト比は、１．５ないし１０７の範囲内である。
【００４７】
前記第１色相シーケンス情報は、例えば、赤色−緑色−青色の順序で表示される色相情報を有し、前記第２色相シーケンス情報は、黄色−赤色−青色の順序で表示される色相情報を有する。他の実施形態において、有彩色と無彩色が結合され、前記第１色相シーケンス情報は、赤色−白色−緑色−白色−青色の順序で表示される色相情報を有し、前記第２色相シーケンス情報は、黄色−黒色−赤色−白色−青色の順序で表示される色相情報を有する。上述の第１及び第２色相シーケンス情報の順序及び色相種類は例示的であり、本発明がこれに限定されるものではない。また、上述の色相シーケンス情報が繰り返される場合、繰り返される色相シーケンス情報の間隔には、有彩色及び無彩色が所定の再生時間の間表示されることにより、色相シーケンス情報が繰り返されることを認識することもできる。
【００４８】
経時的に変化する色相シーケンス情報は、コール領域がディスプレイ領域ＤＡでまるで点滅したり、色相が変わり続ける形態にユーザに見える。上述の色相シーケンス情報の全体再生長及び色相シーケンス情報内の個別色相の再生長は、後述する第２情報処理装置４０の光センサーモジュールＣＭ及び処理速度によって適宜決定され、例えば、色相シーケンス情報の全体再生長は４秒ないし１０秒の範囲内であり、個別色相の再生長は０．１秒ないし２秒の範囲内である。第１情報処理装置１０のコンピューティング装置の終了制御前までは、色相シーケンス情報の表示が繰り返される。
【００４９】
無彩色と有彩色が経時的に交番し、先行する色相と後行する色相が異なるコントラスト比を有する場合、後述するように、第２情報処理装置４０の光センサーモジュールＣＭがディスプレイ領域ＤＡと互いに接触して、光センサーモジュールＣＭが接写方式により前記色相シーケンス情報を認識しなければならない場合に、隣接する色相が色空間での彩度及び／または明度の面で大きい差を有することになるため、光センサーモジュールＣＭによる色相シーケンス情報の認識率を向上することができる。前記端末器コール信号が前記色相シーケンス情報として表示される場合、各色相は一定の時間間隔をおいて表示され、一つの色相シーケンス情報が完了すれば、再び同一な色相シーケンス情報が繰り返される。
【００５０】
上述のように、本発明の第２情報処理装置４０の光センサーモジュールＣＭは、前記色相シーケンス情報を識別するに当たって、一画面内に位置する複数の色相配列を識別するものではなく、一画面に時系列的に変更して表示される色相の変化を識別できる。したがって、第２情報処理装置４０の光センサーモジュールＣＭはディスプレイ領域ＤＡと接触して、前記色相シーケンス情報を識別することが可能である。
【００５１】
図１に例示的に示すように、第１情報処理装置１０により、ディスプレイ領域ＤＡ上に二つのコール領域ＣＡ、すなわち、第１コール領域ＣＡ＿１及び第２コール領域ＣＡ＿２が予め設定された場合、第１コール領域ＣＡ＿１には第１色相シーケンス情報が表示され、第２コール領域ＣＡ＿２には第２色相シーケンス情報が表示される。第１コール領域ＣＡ＿１及び第２コール領域ＣＡ＿２が予め設定された場合、第１色相シーケンス情報と第２色相シーケンス情報がディスプレイ領域ＤＡに表示されることにより、ユーザは自身の第２情報処理装置４０を第１コール領域ＣＡ＿１及び第２コール領域ＣＡ＿２のうちいずれか一箇所に置かなければならないことを直観的に認識することができる。
【００５２】
上述のように、他の実施形態において、第２情報処理装置４０がディスプレイ領域ＤＡのどの領域、例えば、左下端に置かれれば、ディスプレイ部１１のタッチスクリーンインターフェースが第２情報処理装置４０のタッチイベントを認識して、第２情報処理装置４０が置かれた場所に第１コール領域ＣＡ＿１を定義し、これを活性化して、第１コール領域ＣＡ＿１内に第１色相シーケンス情報が表示される。同様に、他の第２情報処理装置４０が置かれながら第２コール領域ＣＡ＿２が活性化され、第２コール領域ＣＡ＿２内に第２色相シーケンス情報が表示される。
【００５３】
第２情報処理装置４０は、ディスプレイ領域ＤＡのコール領域ＣＡ＿１、ＣＡ＿２に表示される端末器コール信号を光センサーモジュールＣＭを介して認識する。第２情報処理装置４０は、ユーザが携帯しやすい小型の移動通信機器、例えば、携帯電話、ラップトップ、ネットブック、タブレットＰＣ、イーブック端末器、ノートパソコン、スマートフォン、スマートパッドなどのモバイルコンピューティング装置である。好ましくは、第２情報処理装置４０は、装置の前面に自体のディスプレイ部ＤＳを含み、背面に光センサーモジュールＣＭを持つ装置である。代表的には、第２情報処理装置４０は、スマートフォンまたはスマートパッドを含む移動端末装置であるが、本発明はこれに限定されるものではない。これは、第２情報処理装置４０のディスプレイ部ＤＳを介して、リンクのためのアプリケーションが駆動されることをユーザが視覚的に確認でき、これに係るプロセスをディスプレイ部ＤＳを介して案内されるためである。後述するように、リンクのためのアプリケーションが駆動されれば、第２情報処理装置４０の運用体制または製造社を問わず、第１情報処理装置１０と第２情報処理装置４０との間にリンクが達成される。また、前記光センサーモジュールは、前記第２情報処理装置の前面及び背面の光センサーモジュールのうち少なくともいずれか一つに内蔵される。
【００５４】
第２情報処理装置４０の光センサーまたは光センサーモジュールＣＭは、レンズ、絞り及び撮像素子であるＣＣＤ（Ｃｈａｒｇｅ  Ｃｏｕｐｌｅｄ  Ｄｅｖｉｃｅ：電荷結合素子）またはＣＩＳ（ＣＭＯＳ  Ｉｍａｇｅ  Ｓｅｎｓｏｒ）のような光センサー半導体素子を含む。また、第２情報処理装置４０は、光センサーモジュールＣＭを介して感知された光アナログ信号をデジタル信号に変換させるＡＤＣ（Ａｎａｌｏｇ−Ｄｉｇｉｔａｌ  Ｃｏｎｖｅｒｔｅｒ）、変換されたイメージファイルを格納するためのメモリ、及び
【００５５】
以下、添付された図面を参照して、本発明の好ましい実施形態を詳細に説明する。
【００５６】
本発明の実施形態は、当業者に本発明をさらに完全に説明するために提供されるものであり、下記の実施形態は、色々な他の形態に変形可能であり、本発明の範囲が下記の実施形態に限定されるものではない。かえって、それらの実施形態は、本開示をさらに充実かつ完全にし、当業者に本発明の思想を完全に伝達するために提供されるものである。
【００５７】
また、以下の図面において、各層の厚さやサイズは、説明の便宜及び明確性のために誇張されたものであり、図面上で、同じ符号は同じ要素を指す。本明細書で使われたように、用語“及び／または”は、当該列挙された項目のうちいずれか一つ及び一つ以上の全ての組み合わせを含む。
【００５８】
本明細書で使われた用語は、特定の実施形態を説明するために使われ、本発明を制限するためのものではない。本明細書で使われたように、単数の形態は、文脈上明確に取り立てて指摘するものでなければ、複数の形態を含む。また、本明細書で使われる場合、“含む(comprise)”及び／または“含んだ(comprising)”は、言及した形状、数字、段階、動作、部材、要素及び／またはそれらのグループの存在を特定するものであり、一つ以上の他の形状、数字、動作、部材、要素及び／またはグループの存在または付加を排除するものではない。
【００５９】
本明細書において、第１、第２などの用語は、多様な部材、部品、領域、層及び／または部分を説明するために使われるが、それらの部材、部品、領域、層及び／または部分は、それらの用語によって限定されてはならない。それらの用語は、一つの部材、部品、領域、層または部分を、他の領域、層または部分と区別するためにのみ使われる。したがって、後述する第１部材、部品、領域、層または部分は、本発明の思想から逸脱しない範囲内で、第２部材、部品、領域、層または部分を指す。
【００６０】
本明細書において、第１情報処理装置及び第２情報処理装置は、それぞれ主装置と補助装置、マスターとスレーブ、サーバとクライアント、または互いに同等な装置関係にあり、これは説明の便宜のためのものに過ぎず、本発明がこれに制限されるものではない。例えば、前記第１情報処理装置がクライアントであり、前記第２情報処理装置がサーバであってもよい。また、マスターの役割を行う情報処理装置がスレーブの役割を行ってもよいし、サーバの役割を行う情報処理装置がクライアントの役割を行ってもよい。したがって、第１及び第２、マスターとスレーブ及び／またはサーバとクライアントは、本明細書において明示的に定義しない限り互換的かつ等価的な意味を有するものと解釈され、これらの用語によって本発明が限定的に解釈されてはならない。
【００６１】
図１Ａ及び図１Ｂは、本発明の一実施形態による、ネットワーク上で互いにリンクされた第１情報処理装置１０及び第２情報処理装置４０を示す斜視図である。
【００６２】
図１Ａを参照すれば、第１情報処理装置１０は、ディスプレイ部１１と、ディスプレイ部１１を制御し、第１ネットワークに連結されている制御部（図示せず）とを含む。第１情報処理装置１０は、第１情報処理装置１０の出力手段であるディスプレイ部１１を介して情報を表示したり、後述するようにディスプレイ部１１からタッチイベントを認識して情報を処理したり命令を実行するようにディスプレイ部１１を制御する。第１情報処理装置１０は、例えば、ディスプレイ部１１を有するテーブル、電子黒板、看板、電子額縁、電子本、タブレットＰＣ、スマートＴＶ、広告看板、キオスク、料金決済システム（ＰＯＳ）、クーポン発行機、展示情報案内機、地下鉄改札機、パソコン、デスクトップパソコン、ラップトップパソコン、スマートフォン、スマートパッド、コンピュータ周辺機器、家電製品、知能型ホーム及び建物制御システム、知能型自動車情報システム、出入保安システム、認証システム、ナビゲーション、家具、ガラス窓及び壁面のうちいずれか一つまたはこれらの組み合わせである。しかし、これは例示的であり、本発明がこれに制限されるものではない。第１情報処理装置１０は、ネットワークを介して要請された命令の処理が可能な好適な中央処理装置（ＣＰＵ）またはマイクロプロセッサ、そして、処理されたデータを臨時及び／または永久に格納するためのメモリ、ハードディスク、固体記憶装置（ＳＳＤ）、ＣＤ−ＲＯＭ及びホログラムなどの記憶装置を含む任意の好適なコンピューティング装置、及び前記コンピューティング装置を含む電子装置であってもよい。
【００６３】
第１情報処理装置１０は、図１に示すように、ディスプレイ部１１と別に固定された位置に存在する単一のシステムであってもよいし、小型化されてディスプレイ部１１に結合されたり一体化された装置であってもよい。第１情報処理装置１０は、第１情報処理装置１０に含まれたコンピューティング装置を構成するリソースが単一のコンピュータシステム内に存在するものに限定されず、クラウドシステムのように前記リソースのうち少なくとも一部が遠隔地に分散された分散システムであってもよい。
【００６４】
ディスプレイ部１１は、ディスプレイ装置の薄膜化、大型化及びフレキシブル化によって、典型的なモニター形態のほか、テーブル、電子黒板、看板、電子額縁、電子本、タブレットＰＣ、スマートＴＶ、広告看板、キオスク、料金決済システム（ＰＯＳ）、クーポン発行機、展示情報案内機、地下鉄改札機、パソコン、デスクトップパソコン、ラップトップパソコン、スマートフォン、スマートパッド、コンピュータ周辺機器、家電製品、知能型ホーム及び建物制御システム、知能型自動車情報システム、出入保安システム、認証システム、ナビゲーション、家具、ガラス窓及び壁面のディスプレイ部のように、その形態が多様な視覚情報ディスプレイ装置で具現される。
【００６５】
一実施形態において、図１Ａに示すように、ディスプレイ部１１は、ユーザが会議、作業、読書、食事、飲酒、教育、発表、講義、説明、ゲームのような行為を座ったり立ったりして行うテーブル形態を有することもできる。このために、ディスプレイ部１１は地面に平行しており、これを支持するための脚のようなテーブル支持台１３を含む。このようなテーブル形態のディスプレイ部１１が有する利点は、後述する実施形態により明らかになる。
【００６６】
ディスプレイ部１１は、発光ディスプレイ素子または非反射型ディスプレイ素子を含む。例えば、ディスプレイ部１１は、液晶ディスプレイ素子のような受動型発光素子、または有機／無機発光ダイオード、陰極線管、プラズマディスプレイパネル、及び真空蛍光ディスプレイ素子のような自発光素子を含む。これらのディスプレイ素子は例示的であり、本発明がこれに限定されるものではない。ディスプレイ部１１は、前記発光ディスプレイ素子として他の自発光素子または受動型発光素子を含んでもよい。後述するように、ディスプレイ部１１の色相情報は、第２情報処理装置４０の光センサーモジュールＣＭがディスプレイ部１１の表面から焦点距離未満で隣接したり、はなはだしくはディスプレイ部１１のディスプレイ領域ＤＡの表面と物理的に接触することで認識される。これについては後述する。この場合、前記色相情報は、外光が十分でないか欠如した状態で認識されなければならないので、ディスプレイ部１１は非反射型発光素子であることが好ましい。
【００６７】
ディスプレイ部１１は、ディスプレイ領域ＤＡを有する。一部の実施形態において、ディスプレイ部１１は、ディスプレイ領域ＤＡの少なくとも一部で生じるユーザのタッチイベントを認識するためのタッチスクリーンインターフェースを含む。前記タッチスクリーンインターフェースは、複数のタッチ入力が可能なマルチタッチインターフェースを含む。前記タッチスクリーンインターフェースは、当該技術分野でよく知られたように静電式または定圧式のタッチスクリーンインターフェースである。
【００６８】
他の実施形態において、前記タッチスクリーンインターフェースは、ディスプレイ領域ＤＡの平面に沿ってアレイ形態に配列される光センサー方式であってもよい。例えば、ディスプレイ領域ＤＡの所定の領域上に品物が置かれたり、身体の接触及びスタイラスペンを用いた行為によりタッチイベントが生じる場合、光センサーは、入射される光量の減少によりタッチを認識し、前記タッチを認識した光センサーの位置は、ディスプレイ領域ＤＡ上でなされた前記タッチイベントの座標を定義する。商用化されたタッチスクリーンインターフェースには、マイクロソフト社製のＰｉｘｅｌｓｅｎｓｅＴＭまたはサムスン社製のＳＵＲ４０ＴＭのような製品が例示される。
【００６９】
さらに他の実施形態において、ディスプレイ部１１の枠部の一側にディスプレイ領域ＤＡを横切って光を放出する発光素子をアレイ形態に配置し、前記発光素子が配置される枠部の一側と対向する他側には受光素子をアレイ形態に配置して、タッチイベントによる光量の減少によりタッチイベントの位置を定義するインターフェースも可能である。上述のタッチスクリーンインターフェースは例示的であり、タッチのほか、マイクロソフト社製のＫＩＮＥＣＴＴＭのような動作センサー、または脳波、虹彩、体温、脈拍のような生体信号センサーの非接触構成を有することもできる。
【００７０】
第１情報処理装置１０は、ディスプレイ領域ＤＡの一部に少なくとも一つのコール領域ＣＡを定義し、コール領域ＣＡに端末器コール信号を表示する。コール領域ＣＡが複数の場合、これらは互いに重ならないように離隔配置され、コール領域ＣＡごとに割り当てられる各端末器コール信号は異なる。コール領域ＣＡの形状及び大きさは多様であり、本発明がこれに限定されるものではない。例えば、図１Ａに示すように円形である。しかし、これは例示的であり、コール領域ＣＡの形状は、楕円形、四角形及び五角形などの他の多角形状であってもよい。一部の実施形態において、コール領域ＣＡは、第２情報処理装置４０の光センサーモジュールＣＭよりも大きく、第２情報処理装置１０よりも大きい面積を有する。
【００７１】
一実施形態において、コール領域ＣＡの位置は予め設定される。例えば、ディスプレイ部１１のテーブル形態を考慮して、ユーザが位置するところに隣接してコール領域ＣＡを設定する。例えば、第１情報処理装置１０が四角形の４人用テーブルである場合、コール領域ＣＡは、ディスプレイ領域ＤＡの上端、下端、左端及び右端に４等分された領域のうちいずれか一つまたは複数の領域にそれぞれ配置される。図１Ａでは、それぞれ左下端及び右上端にコール領域ＣＡ＿１、ＣＡ＿２が設定されたことを例示する。
【００７２】
他の実施形態において、ディスプレイ部１１が前記タッチスクリーンインターフェースのように別途の入力インターフェースを持つ場合、コール領域ＣＡは予め設定されず、ディスプレイ領域ＤＡのどの場所に第２情報処理装置４０が置かれたり、指、スタイラスペンまたは製品のような品物の接触によるタッチイベントが生じれば、ディスプレイ領域ＤＡ上で生じた前記タッチイベントの位置が感知され、前記タッチイベントが生じた領域に当該コール領域が生成される。非接触式動作の認識による場合、定義された位置や認識された動作に反応して当該コール領域が生成される。
【００７３】
コール領域ＣＡには、色相情報を含む端末器コール信号が表示される。コール領域ＣＡ内に表示される前記端末器コール信号は、当該コール領域の全体を満たす方式により表示される。前記色相情報は、一つの色相で構成されるか、複数の色相が経時的に変化する色相シーケンス情報を含む。前記色相情報は、赤色、緑色、青色のような有彩色及び白色、灰色、黒色のような無彩色のうちいずれか一方または両方を含む。好ましくは、前記色相シーケンス情報は、有彩色と無彩色が一部または全部に経時的に交番する色相シーケンス情報を含む。また、前記色相シーケンス情報は、互いに隣接する先行する色相と後行する色相が異なるコントラスト比を有する。前記コントラスト比は、１．５ないし１０７の範囲内で選択される。
【００７４】
図１Ａに示すように、複数のコール領域ＣＡ＿１、ＣＡ＿２が存在する場合、第１コール領域ＣＡ＿１に表示される第１色相シーケンス情報は、例えば、赤色−緑色−青色の順序で表示される色相情報を有し、第２コール領域ＣＡ＿２に表示される第２色相シーケンス情報は、黄色−赤色−青色の順序で表示される色相情報を有する。他の実施形態において、有彩色と無彩色が結合され、前記第１色相シーケンス情報は、赤色−白色−緑色−白色−青色の順序で表示される色相情報を有し、前記第２色相シーケンス情報は、黄色−黒色−赤色−白色−青色の順序で表示される色相情報を有する。上述の第１及び第２色相シーケンス情報の順序及び色相種類は例示的であり、本発明がこれに限定されるものではない。また、上述の色相シーケンス情報が繰り返される場合、繰り返される色相シーケンス情報の間隔には、有彩色及び無彩色が所定の再生時間の間表示されることにより、色相シーケンス情報が繰り返されることを認識することもできる。
【００７５】
経時的に変化する色相シーケンス情報は、コール領域がディスプレイ領域ＤＡでまるで点滅したり、色相が変わり続ける形態にユーザに見える。上述の色相シーケンス情報の全体再生長及び色相シーケンス情報内の個別色相の再生長は、後述する第２情報処理装置４０の光センサーモジュールＣＭの色相認識感度及び処理速度によって適宜決定され、例えば、色相シーケンス情報の全体再生長は４秒ないし１０秒の範囲内であり、個別色相の再生長は０．１秒ないし２秒の範囲内である。第１情報処理装置１０のコンピューティング装置の終了制御前までは、色相シーケンス情報の表示が繰り返される。
【００７６】
第２情報処理装置４０の光センサーモジュールＣＭがディスプレイ領域ＤＡに隣接したり、ディスプレイ領域ＤＡと互いに接触して、光センサーモジュールＣＭが接写方式により前記色相シーケンス情報を認識しなければならない場合には、無彩色と有彩色が経時的に交番し、先行する色相と後行する色相が異なるコントラスト比を有する色相シーケンス情報は、隣接する色相が色空間での彩度及び／または明度の面で差が大きいほど、光センサーモジュールＣＭによる色相シーケンス情報の認識率が向上する。前記端末器コール信号が前記色相シーケンス情報で具現された場合、各色相は一定の時間間隔をおいて表示され、一つの色相シーケンス情報が完了すれば、再び同一な色相シーケンス情報が繰り返される。
【００７７】
上述のように、本発明の第２情報処理装置４０の光センサーモジュールＣＭは、前記色相シーケンス情報を識別するに当たって、時系列的に変更して表示される色相の変化は、コール領域ＣＡの全体に均一な色相だけで達成されるものに限定されない。例えば、コール領域ＣＡ内に同時に存在する単一または複数の色相からなるパターンから得られるヒストグラムまたは平均的色相のような数値化された色相の経時的変化によって達成されることもある。
【００７８】
図１Ａに示すように、第１情報処理装置１０により、ディスプレイ領域ＤＡ上に二つのコール領域ＣＡ、すなわち、第１コール領域ＣＡ＿１及び第２コール領域ＣＡ＿２が生成された場合、第１コール領域ＣＡ＿１には第１色相シーケンス情報が表示され、第２コール領域ＣＡ＿２には第２色相シーケンス情報が表示される。第１コール領域ＣＡ＿１及び第２コール領域ＣＡ＿２が生成された場合、前記第１色相シーケンス情報と前記第２色相シーケンス情報がディスプレイ領域ＤＡに表示されることにより、ユーザは自身の第２情報処理装置４０を第１コール領域ＣＡ＿１及び第２コール領域ＣＡ＿２のうちいずれか一箇所に置かなければならないことを直観的に認識することができる。
【００７９】
上述のように、第２情報処理装置４０がディスプレイ領域ＤＡのどの領域、例えば、左下端に置かれれば、ディスプレイ部１１のタッチスクリーンインターフェースが第２情報処理装置４０のタッチイベントを認識して、第２情報処理装置４０が置かれた場所に第１コール領域ＣＡ＿１を定義し、これを活性化して、第１コール領域ＣＡ＿１内に第１色相シーケンス情報が表示される。同様に、他の第２情報処理装置４０が置かれながら第２コール領域ＣＡ＿２が活性化され、第２コール領域ＣＡ＿２内に第２色相シーケンス情報が表示される。
【００８０】
第２情報処理装置４０は、ディスプレイ領域ＤＡのコール領域ＣＡ＿１、ＣＡ＿２に表示される端末器コール信号を光センサーモジュールＣＭを介して認識する。光センサーモジュールＣＭは、レンズ、絞り及び撮像素子であるＣＣＤ（Ｃｈａｒｇｅ  Ｃｏｕｐｌｅｄ  Ｄｅｖｉｃｅ：電荷結合素子）またはＣＩＳ（ＣＭＯＳ  Ｉｍａｇｅ  Ｓｅｎｓｏｒ）のような光センサー半導体素子を含む。また、第２情報処理装置４０は、光センサーモジュールＣＭを介して感知された光アナログ信号をデジタル信号に変換させるＡＤＣ（Ａｎａｌｏｇ−Ｄｉｇｉｔａｌ  Ｃｏｎｖｅｒｔｅｒ）、変換されたイメージファイルを格納するためのメモリ、及び撮像感度及び／または色相認識力を向上するための各種物理的及び電子的フィルタをさらに含んでもよい。
【００８１】
光センサーモジュールＣＭを持つ第２情報処理装置４０は、ユーザが携帯しやすい小型の移動通信機器、例えば、携帯電話、ラップトップ、ネットブック、タブレットＰＣ、イーブック端末器、ノートパソコン、スマートフォン、スマートパッドなどのモバイルコンピューティング装置であるが、これに制限されるものではない。例えば、第２情報処理装置４０は、プリンター、キーボード、マウス、レーザーポインタ、ＵＳＢメモリ、外装記憶装置などのコンピュータ周辺機器、ＴＶリモートコントローラなどの遠隔制御装置、鍵、額縁のように光センサーモジュールＣＭを付加することで第１情報処理装置１０とペアリングされるか相互作用により知能化される装置である。前記ペアリングは、マスターとスレーブの関係または互いに同等な関係に成り立っている。
【００８２】
光センサーモジュールＣＭは、第２情報処理装置４０の形態によって様々な位置に配置される。スマートフォンまたはタブレットＰＣは、前面に自体のディスプレイ部ＤＳを含み、背面に光センサーモジュールＣＭを持つ。このように光センサーモジュールＣＭが第２情報処理装置４０の背面に配置された場合、コール領域ＣＡにディスプレイされる端末器コール信号を認識するために、ユーザは光センサーモジュールＣＭが配置された第２情報処理装置４０の背面がディスプレイ領域ＤＡに向かうようにし、好ましくは、第２情報処理装置４０の背面をディスプレイ領域ＤＡから焦点距離未満で隣接させたり、ディスプレイ領域ＤＡの表面に接触させて、コール領域ＣＡに表示される端末器コール信号を光センサーモジュールＣＭを介して接写する。このような配置は、第２情報処理装置４０は、第１情報処理装置１０のディスプレイ部１１に光センサーモジュールＣＭが焦点距離未満で隣接したり、光センサーモジュールＣＭの表面が接触してこれに向かっている状態で、第２情報処理装置４０のディスプレイ部ＤＳを介して、リンクのためのアプリケーションが駆動のような第２情報処理装置４０の動作状態をユーザが視覚的に確認し、これに係るプロセスをディスプレイ部ＤＳを介して案内されるために好ましい。逆に、光センサーモジュールＣＭが第２情報処理装置４０の前面に位置した場合には、ユーザは第２情報処理装置４０の前面がディスプレイ領域ＤＡに向かうようにし、ディスプレイ領域ＤＡに焦点距離未満で隣接したり、ディスプレイ領域ＤＡの表面に接触させて、第２情報処理装置４０が端末器コール信号を認識することもできる。
【００８３】
ディスプレイ領域ＤＡのコール領域ＣＡで端末器コール信号が発生し、コール領域ＣＡに隣接したり、それに接触する第２情報処理装置４０が、前記端末器コール信号を光センサーモジュールＣＭを介して認識する。以後、第２情報処理装置４０は、前記端末器コール信号に対応する応答信号を生成させ、前記応答信号を第２情報処理装置４０に連結された第２ネットワークを介して送出し、端末器コール信号及び応答信号を用いて、第１ネットワークと第２ネットワークの両方に直接的または間接的に接続されているマッピングサーバがこれらの間を中継することにより、第１情報処理装置１０と第２情報処理装置４０がリンクされる。
【００８４】
第２情報処理装置４０に連結された前記第２ネットワークは、第１情報処理装置１０に連結された前記第１ネットワークと同一であるか異なるネットワークである。例えば、第１ネットワークは、近距離有無線通信網、遠距離有無線通信網、インターネット網及び移動通信網のうちいずれか一つであり、第２ネットワークはもう一つである。前記ネットワークには、当該技術分野でよく知られたように、ハーブ、ゲートウェイ及びルータなどの中継装置が存在する。
【００８５】
第１情報処理装置１０と第２情報処理装置４０のリンクが完了すれば、第１情報処理装置１０のコール領域ＣＡ及び第２情報処理装置４０のディスプレイのうち少なくともいずれか一つにリンク完了情報が表示される。第１情報処理装置１０に表示されるリンク完了情報は、コール領域ＣＡの枠のような一部または全部に表示される点滅効果、色相変化、アニメーションまたはテキストのうちいずれか一つまたはこれらが結合されたものである。しかし、このようなリンク完了情報が前記端末器コール信号と異なるならば、これに限定されない
【００８６】
図１Ｂを参照すれば、第１情報処理装置１０は、二つ以上の第２情報処理装置４０＿１、４０＿２と図１Ａを参照して説明した方法によりそれぞれリンクされる。あるいは、二つ以上の第２情報処理装置４０＿１、４０＿２が第１情報処理装置１０を媒介としてまたは直接的に互いにリンクされる。これにより、第１端末器コール領域ＣＡ＿１と接触した第２情報処理装置４０＿１のデータを第１情報処理装置１０と共有させたり第１情報処理装置１０に移動させ、第１情報処理装置１０に共有または移動されたデータを、再び第２端末器コール領域ＣＡ＿２と接触した他の第２情報処理装置４０＿２に移動または共有させる。
【００８７】
一実施形態において、図１Ｂに矢印Ａで示したように、第１端末器コール領域ＣＡ＿１からその外部に指でドラッグすれば、リンクされた第２情報処理装置４０＿１に格納されたデータ、情報、ＨＴＭＬなどの命令スクリプト、または集合された命令を含むソフトウェアアプリケーションのような様々なフォーマットを有する電子的資料は、第１情報処理装置１０で処理されてディスプレイ領域ＤＡに表示される。例えば、前記格納されたデータが文書、例えば、電子メール、パワーポイント、ワードファイルであり、解釈された文書ＴＸがディスプレイ領域ＤＡ上に表示され、前記格納されたデータがイメージの場合には、解釈されたイメージＩＭがディスプレイ領域ＤＡ上に表示される。表示される方式は、ディスプレイ領域ＤＡ上で文書が実行されて内容を見せたり、アイコン化されてファイル名と共に表示される。イメージの場合には、ディスプレイ領域ＤＡに原本イメージまたはサムネイル化されたイメージが表示されてもよい。図示していないが、前記格納されたデータが音楽または動画であれば、ディスプレイ領域ＤＡ上に楽譜及び／または歌詞が表示されながら音楽または動画が再生されてもよい。
【００８８】
このようにディスプレイ領域ＤＡ上に表示されるか実行されたデータ、情報、ＨＴＭＬなどの命令スクリプト、または集合された命令を含むソフトウェアアプリケーションは、矢印Ｂで示したように、これを他の第２情報処理装置４０＿２が配置されている第２端末器コール領域ＣＡ＿２にユーザがドラッグすれば、第２情報処理装置４０＿２へ伝送される。また、ユーザが第１端末器コール領域ＣＡ＿１から第２端末器コール領域ＣＡ＿２にドラッグジェスチャーを行えば、第２情報処理装置４０＿１、４０＿２の間にもリンクが成り立っており、これら間の電子的資料の共有及び伝送が可能である。
【００８９】
上述の様々なフォーマットを有する電子的資料は、写真、音楽、文書、データベース、クーポン、商品説明書、地図、電子マネー、品目購買情報、決済情報、ウェブリンク情報、認証情報、保安情報、第１または他の第２情報処理装置で実行可能な任意の命令の集合であるソフトウェアアプリケーション、またはこれらの組み合わせである。また、本発明の実施形態において、ユーザのジェスチャーはドラッグに限定されるものではなく、回転、拡大、移動、実行、閉じなどの命令を実行するのに適している解釈可能な任意のタッチ動作及び非接触動作であってもよい。
【００９０】
図２は、一実施形態による第１情報処理装置１０及び第２情報処理装置４０を含むマッピングシステム１００の概略的な構成図であり、図３は、図２に示したマッピングサーバ５０が管理するマッピング情報を説明するための概念図である。上述の構成要素と同じ参照番号を有する構成要素については、矛盾しない限り上述の開示事項を参照し、重複説明は省略する。
【００９１】
図２を参照すれば、マッピングシステム１００は、第１情報処理装置１０、第２情報処理装置４０及びマッピングサーバ５０を含む。図２では、第１情報処理装置１０と第２情報処理装置４０が異なる第１及び第２ネットワーク６１、６２により互いにリンクされたことを例示する。第１ネットワーク６１は有線ネットワークであり、第２ネットワーク６２は無線ネットワークである。マッピングサーバ５０が連結される第３ネットワーク６３は有線である。しかし、これは例示的であり、第１ないし第３ネットワーク６１ないし６３を含む全体のネットワーク６０は、単一のネットワークであるか、図示したように異なるネットワークを含んでもよい。前記ネットワーク６０は、近距離有無線通信網、遠距離有無線通信網、インターネット網、移動通信網、ブルートゥース、ＶＰＮ（ｖｉｒｔｕａｌ  ｐｒｉｖａｔｅ  ｎｅｔｗｏｒｋ）、機器間のペアリング、ＵＳＢテザリングを含むテザリング、Ｗｉ−Ｆｉホットスポットなどのものである。また、前記ネットワークには、当該技術分野でよく知られたように、ハーブ、ゲートウェイ及びルータなどの中継装置が存在する。
【００９２】
また、第１情報処理装置１０と第２情報処理装置４０は、ネットワーク６０を介してマッピングサーバ５０と同一であるか異なるプロトコルに通信する。異なるプロトコルの通信のために、マッピングサーバ５０は、異なる規格のプロトコルを中継するためのトランスコーダー部を含む。
【００９３】
第１情報処理装置１０は、ネットワーク６０を介してマッピングサーバ５０に自身が使用する端末器コール信号に係る情報を要請して、マッピングサーバ５０から前記端末器コール信号に係る情報を受信し、これから端末器コール信号を表示するようにディスプレイ部１１を制御する。図１Ａを参照して説明したように、前記端末器コール信号は、ディスプレイ部１１を介して表示され、第２情報処理装置４０が光センサーモジュールを介して認識する色相情報を含む信号である。
【００９４】
前記端末器コール信号を認識した第２情報処理装置４０は、端末器コール信号に対応する応答信号を発生させ、前記応答信号をマッピングサーバ５０へ伝送する。以後、マッピングサーバ５０は、伝送された前記応答信号を受信し、第１情報処理装置１０の前記端末器コール信号に係る情報と、前記第２情報処理装置４０の応答信号が有する情報とをマッピングさせ、これらの間をネットワーク６０上でリンクさせる。
【００９５】
他の実施形態において、前記端末器コール信号は、第１情報処理装置１０により自体的に生成されてもよい。このために、第１情報処理装置１０は、自体的に端末器コール信号、例えば、色相シーケンス情報を構成するためのライブラリを有するか、マッピングサーバ５０にこれを要請することもでき、これを用いて端末器コール信号を生成し、ディスプレイ部１１を介して表示する。この場合、第１情報処理装置１０は、自体的に生成した端末器コール信号に係る情報をマッピングサーバ５０へ伝送する。
【００９６】
第１情報処理装置１０は、マッピングサーバ５０に端末器コール信号を要請しながら、第１情報処理装置１０の識別子情報を伝送する。あるいは、第１情報処理装置１０は、自体的に端末器コール信号を生成しながら、マッピングサーバ５０へ前記端末器コール信号に係る情報を前記識別子情報と共にまたは別に伝送することもできる。
【００９７】
前記識別子情報は、ネットワーク上に連結された多くのコンピュータのうち第１情報処理装置１０を認識するための固有識別情報を含む。第１情報処理装置１０の固有識別情報は、ＩＰ（Ｉｎｔｅｒｎｅｔ  Ｐｒｏｔｏｃｏｌ）アドレス；ＭＡＣ（Ｍｅｄｉａ  Ａｃｃｅｓｓ  Ｃｏｎｔｒｏｌ）アドレス；モデムのシリアルナンバー；ネットワーク装置のシリアルナンバー；システムボードのシリアルナンバー；電子メールアドレス、パスポート番号及び住民番号のようなユーザ識別情報；パスワード；電話番号；地理情報、通信セル番号のような位置基盤情報；ＵＤＩＤ（Ｕｎｉｑｕｅ  Ｄｅｖｉｃｅ  ＩＤ）；ハードウェアモデル名のうちいずれか一つまたはこれらの組み合わせに基づく文字、数字、またはこれらの組み合わせであるか符号化された情報である。他の実施形態において、第１情報処理装置１０の固有識別情報は、乱数発生器から得られた重複を許さない任意の文字、数字またはこれらの組み合わせであるか符号化された情報であってもよい。
【００９８】
このように第１情報処理装置１０の識別子情報がマッピングサーバ５０へ伝送されれば、マッピングサーバ５０は、当該第１情報処理装置１０で使われる一つ以上の端末器コール信号に係る情報とコンピュータ識別子情報とを格納して管理することになる。前記端末器コール信号に係る情報と識別子情報の格納は、マッピングサーバ５０のデータベースで行われる。
【００９９】
第１情報処理装置１０は、ディスプレイ部１１のほか、ディスプレイ部１１を制御する制御部３０、例えば、中央処理装置またはマイクロプロセッサを含み、制御部３０で第２情報処理装置４０とのリンクのためのコンピュータ用アプリケーション３１が実行される。また、第１情報処理装置１０は、ネットワーク上での通信のための有線通信部３３及び無線通信部３５を含む。
【０１００】
コンピュータ用アプリケーション３１は、第１情報処理装置１０に含まれた例示された構成を直接または運用体制を通じて制御し、マッピングサーバ５０と端末器コール信号に係る情報及びマッピング情報を送受信し、マッピングサーバ５０から提供される各種サービスに係る作業を遂行し、第２情報処理装置４０とメッセージ、情報及び／またはマルチメディアコンテンツのような電子的資料の送受信、伝達、交換及び／または共有、取り引き、決済、ウェブリンク、認証、保安、電子マネー、商品説明、広告、ゲーム、命令スクリプトまたは実行可能な命令の集合であるソフトウェアアプリケーションの実行などの作業を遂行するように、第１情報処理装置１０にインストールされるプログラムである。コンピュータ用アプリケーション３１は、ユーザがアプリケーションストアを介して、またはマッピングサーバ５０に接続してダウンロードして設けてもよいし、プリロード形式により第１情報処理装置１０の製造時に予め設けられていてもよい。
【０１０１】
一部の実施形態において、コンピュータ用アプリケーション３１は、ログイン・インターフェースを含み、コンピュータ用アプリケーション３１がユーザにより実行されるとき、ログイン段階が活性化されながら、第１情報処理装置１０のＩＤ及びパスワードのような識別子情報がマッピングサーバ５０へ予め伝送されることもある。
【０１０２】
コンピュータ用アプリケーション３１は、第１情報処理装置１０のユーザによって及び／または上述の作業の内容によって、好適なＵＩ（Ｕｓｅｒ  Ｉｎｔｅｒｆａｃｅ）を提供することもできる。例えば、図１Ａを参照して説明したように、テーブル形態の第１情報処理装置１０が飲食店に配置された場合、当該飲食店で提供するメニュに係る情報を提供する。また、マッピングサーバ５０と連係され、ペイゲート（ｐａｙ  ｇａｔｅ）にリンクされて決済サービスが提供される。
【０１０３】
有線通信部３３は、例えば、有線ＬＡＮの連結によりインターネット網などのネットワーク６０に連結され、連結された外部ネットワークを介してマッピングサーバ５０との通信を行う。無線通信部３５は、例えば、ワイファイ及びブルートゥースのような無線連結により近距離移動通信網に連結され、マッピングサーバ５０との通信を行う。
【０１０４】
他の実施形態として、マッピングサーバ５０は、ソフトウェア的に具現され、第１情報処理装置１０のハードウェアリソースを用いて第１情報処理装置１０内に含まれる。マッピングサーバ５０が第１情報処理装置１０に含まれた場合は、ネットワークを介した第１情報処理装置１０とマッピングサーバ５０の通信は不要であり、無線通信部３５及び有線通信部３３は、第２情報処理装置２０との通信のために用いられるであろう。
【０１０５】
上述のように、第１情報処理装置１０は、ディスプレイ領域ＤＡで生じるタッチイベントを認識するためのタッチスクリーンインターフェースまたは非接触式動作認識入力インターフェースを含む。また、図示していないが、第１情報処理装置１０は、ユーザの命令の入力のためのキーボード、マウス及びプリンターなどの他の入出力インターフェース部（図示せず）をさらに含んでもよい。
【０１０６】
第２情報処理装置４０は、端末用アプリケーション４１、通信モジュール４３及びこれらを制御するための制御部４５を含む。通信モジュール４３は、マッピングサーバ５０と第１情報処理装置１０の通信連結を遂行し、３Ｇ、ブルートゥース、ワイファイなどの様々な方式の無線及び／または他の有線ネットワーク連結モジュールを含む。制御部４５は、中央処理装置またはマイクロプロセッサである。
【０１０７】
端末用アプリケーション４１は、第１情報処理装置１０がディスプレイする端末器コール信号に係る情報を認識し、応答信号を発生させ、マッピングサーバ５０との間でマッピング情報を送受信して第２情報処理装置４０とリンクを遂行するために、第２情報処理装置にインストールされるプログラムである。また、端末用アプリケーション４１は、第２情報処理装置４０に含まれた構成、例えば、通信モジュール４３及び光センサーモジュール４５を直接または運用体制を通じて制御し、マッピングサーバ５０と端末器コール信号に係る情報及びマッピング情報を送受信し、マッピングサーバ５０から提供される各種サービスに係る作業を遂行し、第１情報処理装置１０と様々なフォーマットの電子的資料、例えば、写真、音楽、文書、データベース、クーポン、商品説明書、地図、電子マネー、品目購買情報、決済情報、ウェブリンク情報、認証情報、保安情報を共有、交換、伝送したり、命令スクリプト、第２情報処理装置で実行可能な任意の命令の集合であるソフトウェアアプリケーションを実行する。
【０１０８】
端末用アプリケーション４１は、ユーザがアプリケーションストアを介して、第１情報処理装置１０から、またはマッピングサーバ５０に接続してダウンロードして設けてもよいし、プリロード形式により第２情報処理装置４０の製造時に予め設けられていてもよい。
【０１０９】
端末用アプリケーション４１は、前記端末器コール信号の認識のために、ディスプレイ領域ＤＡのコール領域ＣＡ上で撮像されたイメージの色相情報を解釈する。例えば、イメージの色相情報は、ＲＧＢコードまたはカラー空間である。一般に、ＲＧＢカラー空間において、黄色は色座標（Ｒ，Ｇ，Ｂ）＝（２５５，２５５，０）で解釈され、青色は色座標（Ｒ，Ｇ，Ｂ）＝（０，０，２５５）で解釈され、白色は色座標（Ｒ，Ｇ，Ｂ）＝（２５５，２５５，２５５）で解釈される。例示した数値“０，２５５”は、階調を意味する。黄色は、Ｒ、Ｇの値がＢの値よりも大きく、青色は、Ｂの値がＲ、Ｇの値よりも大きい。このような代数的数値を用いて、端末用アプリケーション４１は、撮像されたイメージに係る情報、すなわち、ＲＧＢコードと端末器コール信号が色相シーケンス情報で表現される場合、その色相の変化タイミング及び／または色相シーケンス情報の時間長さを読み出すことができる。
【０１１０】
端末用アプリケーション４１は、導出されたイメージの色相情報を端末器コール信号に対する応答信号としてマッピングサーバ５０へ伝送する。他の実施形態において、端末用アプリケーション４１は、端末器コール信号に対する応答信号として端末器コール信号に内在され、これから読み出された第１情報処理装置１０の識別子情報をマッピングサーバ５０へ伝送することもできる。一部の実施形態において、前記応答信号には、第１情報処理装置１０の識別子情報と共に第１情報処理装置１０が二つ以上の第２情報処理装置を認識しなければならない場合、認識される第２情報処理装置の順番に係る情報も含む。
【０１１１】
また、前記端末器コール信号に対する応答信号は、第２情報処理装置４０の識別子情報を含み、端末用アプリケーション４１は、これをマッピングサーバ５０へ伝送する。第２情報処理装置４０の前記識別子情報は、ネットワーク上に連結された多くの端末装置のうち自身を区別するために付与される第２情報処理装置４０の固有情報として固有識別情報を含む。例えば、第２情報処理装置４０の固有識別情報は、ＩＰ（Ｉｎｔｅｒｎｅｔ  Ｐｒｏｔｏｃｏｌ）アドレス；ＭＡＣ（Ｍｅｄｉａ  Ａｃｃｅｓｓ  Ｃｏｎｔｒｏｌ）アドレス；モデムのシリアルナンバー；ネットワーク装置のシリアルナンバー；システムボードのシリアルナンバー；電子メールアドレス、パスポート番号及び住民番号のようなユーザ識別情報；パスワード；電話番号；地理情報、通信セル番号のような位置基盤情報；ＵＤＩＤ（Ｕｎｉｑｕｅ  Ｄｅｖｉｃｅ  ＩＤ）；ハードウェアモデル名のうちいずれか一つまたはこれらの組み合わせに基づく文字、数字、またはこれらの組み合わせであるか符号化された情報である。他の実施形態において、第２情報処理装置４０の固有識別情報は、乱数発生器から得られた重複を許さない任意の文字、数字またはこれらの組み合わせであるか符号化された情報であり、これは例示的であり、本発明がこれに制限されるものではない。
【０１１２】
一部の実施形態において、端末用アプリケーション４１は、ログイン・インターフェースを含む。端末用アプリケーション４１がユーザにより実行されるとき、ログイン段階が活性化されながら、第２情報処理装置４０のＩＤ及びパスワードを含むログイン情報のような仮想情報である識別子情報がマッピングサーバ５０へ予め伝送される。
【０１１３】
前記応答信号を受信したマッピングサーバ５０は、第１情報処理装置１０の識別子情報と第２情報処理装置４０の識別子情報とを用いて、第１情報処理装置１０と第２情報処理装置４０とを互いにマッピングさせてネットワーク上でリンクさせる。前記応答信号は、前記端末器コール信号が有する情報の一部または全部を含む。選択的には、前記応答信号は、第２情報処理装置４０の識別子情報をさらに含んでもよい。
【０１１４】
一部の実施形態において、前記マッピングは、第１情報処理装置１０の端末器コール信号が有する情報と、これから認識されて生成された第２情報処理装置４０の応答信号が有する情報とを比較して互いに一致しているか否かを判断する段階により行われる。このように、マッピングサーバ５０は、第１情報処理装置１０の端末器コール信号が有する情報と、第２情報処理装置４０の応答信号が有する情報とをマッピングすることにより、これら間のリンクを達成することができる。
【０１１５】
このようにマッピングが完了すれば、マッピングサーバ５０は、第１情報処理装置１０と第２情報処理装置４０とが互いにリンクされたというコネクションイベントに対して固有なＩＤを発給し、前記固有なＩＤに基づいて、マッピングサーバ自体により、またはネットワーク上にある他のサーバまたはクラウドシステムにより、データの共有、伝達、取り引きなどの情報処理がなされることになる。例えば、マッピングが完了すれば、第１情報処理装置１０及び第２情報処理装置４０は後続命令を実行する。前記後続命令は、前記第１情報処理装置と前記第２情報処理装置との間の電子的資料の送受信、伝達、交換及び共有のうち少なくともいずれか一つ、取り引き、決済、ウェブリンク、広告、ゲーム、クーポンダウンロード、決済情報、メッセージ伝達、認証、保安、物品、場所または作品などについての情報を含む情報伝達、情報交換、情報共有、ペアリング、資格が付与された第１または第２情報処理装置、及び第１または第２情報処理装置の所有者に対する認証が要求されるサービス認証、データ読み出し、削除、修正、アップロードまたはダウンロードのような権限管理、電動ドアの管理に係るドア開閉、電源スイッチング、照明輝度調節、レンジまたはオーブン温度調節を含む電力管理、機械などの動作制御のためのモータ制御のような所定の命令を含み、これは例示的であり、本発明がこれに限定されるものではない。
【０１１６】
前記後続命令は、ｈｔｔｐ（Ｈｙｐｅｒ  Ｔｅｘｔ  Ｔｒａｎｓｆｅｒ  Ｐｒｏｔｏｃｏｌ）、ｈｔｔｐｓ（Ｈｙｐｅｒ  Ｔｅｘｔ  Ｔｒａｎｓｆｅｒ  Ｐｒｏｔｏｃｏｌ  ｏｖｅｒ  Ｓｅｃｕｒｅ  Ｓｏｃｋｅｔ  Ｌａｙｅｒ）、及びＴＣＰ／ＩＰのような通信プロトコルを用いて他の命令を実行するために好適なシステムへ伝送される。好適な通信プロトコルを用いて後続命令のための電子的資料を共有、伝送、交換することにより、リンクされたユーザや装置以外の他のユーザまたは装置がデータを共有できないようにする。他の実施形態において、マッピングサーバ５０により第１情報処理装置１０と第２情報処理装置４０との間にＩＰの相互交換がある場合、ソケット接続などの方式により１：１通信が行われることもある。このようなリンク方式は例示的であり、第１情報処理装置１０と第２情報処理装置４０のリンク及びこれに基づいたサービスは、２ティア（ｔｉｅｒ）または３ティア以上の多重ティアデザインに拡張されてもよい。
【０１１７】
図２は、単一の第２情報処理装置４０を例示しているが、単一の第１情報処理装置１０に複数の第２情報処理装置がリンクされなければならない場合、第１情報処理装置１０は、複数の第２情報処理装置にそれぞれ対応する複数のコール領域ＣＡを生成し、当該コール領域ＣＡに表示する異なる複数の端末器コール信号をマッピングサーバ５０に要請する。マッピングサーバ５０は、異なる端末器コール信号、例えば、異なる色相情報及び／または色相シーケンス情報を生成して第１情報処理装置１０に提供する。他の実施形態において、上述のように、第１情報処理装置１０が自体のライブラリを用いて複数のコール領域ＣＡに表示される複数の端末器コール信号を生成し、生成された端末器コール信号に係る情報、及び選択的には識別子情報と共にマッピングサーバ５０へ伝送することもできる。例えば、第１色相シーケンスは‘赤色−緑色−青色’であり、第２色相シーケンスは‘黄色−赤色−青色’であり、マッピングサーバ５０は、第１情報処理装置１０の識別子情報と複数の第２情報処理装置４０の識別子情報とを用いて、１対多でマッピング情報を構成することになる。
【０１１８】
このように、マッピングサーバ５０は、ローカル領域で互いにマッピングされた第１情報処理装置１０と第２情報処理装置４０とをマッピングさせてネットワーク上でリンクさせる。構成されたマッピング情報は、マッピングサーバ５０のデータベース５３に格納／管理し、マッピングのための演算はマッピング部５１で行われる。
【０１１９】
データベース５３には、第１情報処理装置１０の識別子情報と第２情報処理装置４０の識別子情報とが格納／管理される。マッピングサーバ５０が、第１情報処理装置１０と第２情報処理装置４０とを１対１で、第２情報処理装置４０がリンクされる場合には１対多でマッピングさせ、構成されたマッピング情報をデータベース５３に格納する。
【０１２０】
マッピング部５１は、第１情報処理装置１０と第２情報処理装置４０のマッピング及びリンクのためのソフトウェア及びハードウェアのような情報処理装置の結合体であってもよい。リンクされた第１情報処理装置１０と第２情報処理装置４０は、Ｐ２Ｐ（ｐｅｅｒ−ｔｏ−ｐｅｅｒ  ｎｅｔｗｏｒｋ）方式、マッピングサーバ５０との関係においてクライアント・サーバ方式、またはこれらが組み合わせられた方式により連結されることもある。あるいは、マッピング部５１が第１情報処理装置１０と第２情報処理装置４０とを１対１または１対多でマッピングさせることは上述の通りである。
【０１２１】
一部の実施形態において、マッピングサーバ５０は、第１情報処理装置１０の識別子情報と第２情報処理装置４０の識別子情報とをそれぞれディスプレイ領域ＤＡのコール領域の位置情報、例えば、ディスプレイ領域ＤＡ上の座標情報もデータベース５３で格納／管理し、当該情報を含んで第１情報処理装置１０と第２情報処理装置４０とをマッピングさせる。前記座標情報は、二次元平面上で実質的な座標であってもよいし、第１情報処理装置１０とマッピングサーバ５０とが認識するための一種のコードであってもよい。一部の実施形態において、前記位置情報も更なる色相情報の形態に当該コール領域上で前記端末器コール信号に結合されて表示され、第２情報処理装置の光センサーモジュールにより認識される。
【０１２２】
マッピング部５１は、第１情報処理装置１０の識別子情報、第２情報処理装置４０の識別子情報、及び選択的には前記座標情報を互いにマッピングさせ、構成されたマッピング情報をデータベース５３に格納する。前記マッピング情報は、基本的にマッピングサーバ５０により格納／管理され、必要に応じてネットワークを構成する他のコンピュータ装置にマッピング情報の一部分が選択的に共有される。
【０１２３】
例えば、図３に示すように、マッピング情報ＭＩは、複数のマッピング情報ＭＩ＿１、ＭＩ＿２を含み、それぞれのマッピング情報は、第１情報処理装置の識別子情報ＣＩ、第２情報処理装置の識別子情報ＰＩ、及び選択的には座標情報ＬＩを含む。第１マッピング情報ＭＩ＿１は、一つの第１情報処理装置１０に二つの第２情報処理装置４０がマッピングされた場合であり、第２マッピング情報ＭＩ＿２は、一つの第１情報処理装置１０に一つの第２情報処理装置４０がマッピングされた場合である。第１情報処理装置の識別子情報ＣＩは、第１情報処理装置１０に付与されたＩＰアドレスを例示し、第２情報処理装置の識別子情報ＰＩは、電話番号を例示し、座標情報ＬＩは、ＸＹ座標または領域別名前から構成される。例えば、第１マッピング情報ＭＩ＿１は、２０１．１２３．１２３．１２３のＩＰアドレスを持つ第１情報処理装置１０の識別子情報ＣＩと、第１領域ＬＩ＿１に配置された一つの第２情報処理装置の識別子情報ＰＩ＿１と、第２領域ＬＩ＿２に配置された他の第２情報処理装置の識別子情報ＰＩ＿２とから構成される。マッピング情報ＭＩが格納されるデータベースは、例えば、階層型、網型、関係型または客体指向型のデータベースまたはこれらの組み合わせを含み、本発明がこれに制限されるものではない。
【０１２４】
再び図２を参照すれば、一部の実施形態において、マッピングサーバ５０は、第１情報処理装置１０と第２情報処理装置４０にメッセージ、情報、ゲーム、マルチメディアコンテンツ、広告などのデータを提供し、これら間のデータの伝達及び共有のような要求に対応するサービスを処理するためのサービス提供部５５をさらに含んでもよい。サービス提供部５５は、マッピングサーバ５０自体が直接第１情報処理装置１０と第２情報処理装置４０にサービスを提供することに限定されず、他のサービスを提供するサーバまたはクラウドシステムへの接続のためのゲートまたは情報を提供することを含む。このようなサービス提供部５５は、ソフトウェアとマイクロプロセッサなどの情報処理装置との結合体であってもよい。
【０１２５】
上述のマッピングサーバ５０のマッピング部５１、データベース５３及びサービス提供部５５は、本発明の実施形態による動作を行うために一つ以上のハードウェア、または前記動作を行うための命令を含むソフトウェアから構成される。また、マッピング部５１、データベース５３及びサービス提供部５５は、物理的に別に存在するマイクロプロセッサ及び／またはソフトウェアによりそれぞれ実行されるか、前記マイクロプロセッサ及び／またはソフトウェアの一部または全部を共有するように構成されることもある。また、マッピングサーバ５０は、中央集中式システムであるか、リソースが分散された分散システムまたはクラウドシステムである。
【０１２６】
上述のように、第１情報処理装置１０とディスプレイ領域ＤＡ上の第２情報処理装置４０との間にリンクがなされれば、ディスプレイ部１１と第２情報処理装置４０との間に直観的なインターフェースが形成される。ユーザは、端末用アプリケーションを操作したり、これに基づいて、第２情報処理装置に格納された情報、メッセージ、マルチメディアコンテンツなどの電子的資料を第１情報処理装置１０に伝達または共有し、この場合、共有されたデータはディスプレイ領域ＤＡ上に表示される。逆に、ユーザは、コンピュータ用アプリケーションを操作したり、これに基づいて、第１情報処理装置に格納されたデータを携帯ディスプレイ装置に伝達または共有する。また、ディスプレイ領域ＤＡ上に複数の第２情報処理装置が存在する場合、第２情報処理装置の間でもデータを伝達または共有する。
【０１２７】
一部の実施形態において、ディスプレイ部１１がタッチスクリーンインターフェースを含む場合、タッチイベントを通じてさらに便利かつ新規のユーザ経験が提供される。例えば、飲食店の場合、ディスプレイ領域ＤＡ上にメニュリストが表示されれば、ユーザはメニュリストで該当食べ物を押すことで食べ物を選択する。以後、該当食べ物や計算された全体金額が表示された領域から、自身の第２情報処理装置があるコール領域にドラッグまたはクリックをすれば、これを自身の第２情報処理装置を介して料金が計算されるものと認識し、当該ユーザに対する電子決済サービスが開始する。
【０１２８】
電子決済は、クーポンなどの様々なサービスが結合されて行われる。他の例として、第２情報処理装置４０のディスプレイ部に共有したいデータを活性化させ、当該装置があるコール領域から他の装置がある他のコール領域にドラッグすることにより、前記データの伝送または共有が行われることもある。上述の動作は例示的であり、前記位置が認識された第２情報処理装置４０と第１情報処理装置１０及び／または他の第２情報処理装置４０との間で、メッセージ送受信、電子決済、コンテンツ情報などのデータの交換及び共有、ゲーム、教育、講義、会議などのテーブル上でなされる様々な活動が複雑なネットワークの設定なしに電子的に行われる。
【０１２９】
上述のように、本発明の実施形態によれば、ディスプレイ領域ＤＡの一つ以上の特定の領域で端末器コール信号を発生させ、端末器コール信号をディスプレイ領域ＤＡ上に位置した第２情報処理装置４０が認識して、ディスプレイ部１１を制御する第１情報処理装置１０と第２情報処理装置４０とをマッピングさせてネットワーク上でリンクさせることにより、第１情報処理装置３０と第２情報処理装置４０の相互間接続とデータ通信をより簡便かつ新規な方式により具現できるマッピングサーバ５０及びマッピングシステム１００が提供される。
【０１３０】
また、ディスプレイ領域ＤＡ上の第２情報処理装置４０の位置認識とユーザのタッチ入力や非接触式認識のためのセンサーを介して、ディスプレイ領域ＤＡ上に表示された情報と第２情報処理装置４０の間で様々な情報処理過程を達成して、新規のユーザ経験を提供することができる。
【０１３１】
図４は、本発明の一実施形態によるマッピングシステムのマッピング方法を示すフローチャートである。
【０１３２】
図４を参照すれば、第１情報処理装置１０に設けられたコンピュータ用アプリケーション３１が実行される（Ｓ１１）。コンピュータ用アプリケーション３１が実行されれば、別途の入力なしに、第１情報処理装置１０は、ディスプレイ部１１のタッチ入力を感知する待機モードが開始する。ユーザが所持する第２情報処理装置４０に設けられた端末用アプリケーション４１も実行される（Ｓ４１）。端末用アプリケーション４１が実行されれば、第２情報処理装置４０は、光センサーモジュール４５を駆動して、端末器コール信号を感知するための待機モードが開始する（Ｓ４２）。
【０１３３】
ユーザが第２情報処理装置４０を第１情報処理装置１０のディスプレイ領域ＤＡに設ければ、第１情報処理装置１０は、第２情報処理装置４０のタッチを認識する（Ｓ１２）。続いて、第１情報処理装置１０は、マッピングサーバ５０に端末器コール信号を要請すると共に、第１情報処理装置の識別子情報を伝送する（Ｓ１３）。前記第１情報処理装置の識別子情報は、ネットワーク上で第１情報処理装置１０を認識するための情報、例えば、ＩＰアドレスなどの固有識別情報を含む。他の実施形態において、コンピュータ用アプリケーション３１が実行されるとき、マッピングサーバ５０にログインされながら、ＩＤまたはパスワードを含むログイン情報のような仮想情報及び当該識別子情報が伝送されることもある。
【０１３４】
第１情報処理装置１０とネットワーク６０上で連結されたマッピングサーバ５０は、端末器コール信号を要請すると共に、第１情報処理装置の識別子情報を受信する（Ｓ５１）。マッピングサーバ５０は、端末器コール信号を生成する（Ｓ５２）。他の実施形態において、第１情報処理装置１０が自ら端末器コール信号を生成し、これを第１情報処理装置の識別子情報と共にマッピングサーバ５０へ伝送することもできる。
【０１３５】
続いて、マッピングサーバ５０は、第１情報処理装置の識別子情報に含まれたＩＰアドレスを持つ第１情報処理装置１０へ生成された端末器コール信号を伝送する（Ｓ５３）。第１情報処理装置１０は、マッピングサーバ５０から端末器コール信号を受信する（Ｓ１４）。第１情報処理装置１０が自ら端末器コール信号を生成した場合、段階Ｓ５３及びＳ１４は省略する。
【０１３６】
マッピングサーバ５０または第１情報処理装置１０が生成した端末器コール信号は、コール領域ＣＡに表示される色相情報を含み、第２情報処理装置４０がこれを認識する。前記色相情報は、一つの色相で構成されるか、複数の色相が経時的に変化する色相シーケンス情報を含んでもよい。
【０１３７】
第１情報処理装置１０は、第２情報処理装置４０が設けられたディスプレイ領域ＤＡに十分な大きさのコール領域ＣＡを形成し、コール領域ＣＡに端末器コール信号を表示する（Ｓ１５）。端末器コール信号の色相シーケンスによって、例えば、‘赤色−緑色−青色’の順序で色相が表示される。前記色相の間には黒色または白色が表示され、前記色相シーケンスがまるで点滅するように表示されてもよい。
【０１３８】
第２情報処理装置４０は、光センサーモジュールＣＭを介して端末器コール信号を認識する（Ｓ４３）。第２情報処理装置４０がコール領域ＣＡに表示される端末器コール信号を認識するために、ユーザは、光センサーモジュールＣＭが配置された第２情報処理装置４０の表面、例えば、背面がディスプレイ領域ＤＡに向かうようにする。上述のように、端末用アプリケーション４１は、端末器コール信号を認識するために、撮像されたイメージの色相情報を導出して分析する。次に、第２情報処理装置４０は、前記端末器コール信号に対応する応答信号を生成する（Ｓ４４）。第２情報処理装置４０は、第２情報処理装置の識別子情報を含む応答信号をマッピングサーバ５０へ伝送する（Ｓ４５）。端末用アプリケーション４１は、読み出されたイメージの色相情報を端末器コール信号認識の応答信号としてマッピングサーバ５０へ伝送する。マッピングサーバ５０は、第２情報処理装置４０から応答信号を受信する（Ｓ５５）。マッピングサーバ５０は、前記応答信号に含まれた第２情報処理装置４０の識別子情報を読み出す。
【０１３９】
一部の実施形態において、第１情報処理装置１０は、複数の第２情報処理装置とリンクする必要がある場合、複数の端末器コール信号をマッピングサーバ５０に要請したり自ら生成し、必要に応じて座標情報をさらに生成する（Ｓ１６）。前記座標情報は、ディスプレイ領域ＤＡの二次元平面上で実質的な座標であってもよいし、第１情報処理装置１０とマッピングサーバ５０とが認識するための一種のコードであってもよい。第１情報処理装置１０は、端末器コール信号が表示されたコール領域ＣＡの座標情報をマッピングサーバ５０へ伝送する（Ｓ１７）。マッピングサーバ５０は、第１情報処理装置１０から座標情報を受信する（Ｓ５４）。
【０１４０】
マッピングサーバ５０は、第１情報処理装置１０の識別子情報と第２情報処理装置４０の識別子情報とをマッピングする（Ｓ５６）。マッピング部５１は、第１情報処理装置の識別子情報、第２情報処理装置の識別子情報、及び選択的には座標情報を互いにマッピングさせ、構成されたマッピング情報をデータベース５３に格納する。
【０１４１】
マッピングサーバ５０は、第１情報処理装置１０及び第２情報処理装置４０のうちいずれか一方または両方へマッピング情報を伝送する（Ｓ５７）。第１情報処理装置１０及び／または第２情報処理装置４０のうちいずれか一方または両方は、前記マッピング情報を受信する（Ｓ１８、Ｓ４６）。第１情報処理装置１０と第２情報処理装置４０は、前記マッピング情報に基づいてディスプレイ領域ＤＡ上でリンクされる（Ｓ１９）。同様に、第２情報処理装置４０も第１情報処理装置１０とリンクされる（Ｓ４７）。第２情報処理装置４０は移動通信網を介して、第１情報処理装置１０は近距離通信網を介して、互いにネットワーク上で連結される。このように、第２情報処理装置４０と第１情報処理装置１０とがリンクされれば、これらの間にメッセージ、文書、マルチメディアコンテンツの共有、伝達、電子取り引き、ゲーム、情報処理などの様々なサービスが遂行され、このためのデータ伝送は、ファイル、パケット、ストリームなどの様々な方式により行われる。
【０１４２】
上述のように、マッピングサーバ５０は、第１情報処理装置１０に含まれる。マッピングサーバ５０が第１情報処理装置１０に含まれた場合には、第１情報処理装置１０との有無線ネットワーキングは不要になる。また、マッピングサーバ５０は、第２情報処理装置４０と移動通信網でない近距離通信網を介して連結される。近距離通信網を介してマッピングサーバ５０及び第２情報処理装置４０が連結される場合には、一定の空間内で認証された第２情報処理装置４０のみに対して、第１情報処理装置１０とのデータ伝送などが行われるので、保安的な側面がさらに強化されるであろう。
【０１４３】
本発明の第１情報処理装置１０、第２情報処理装置４０及びマッピングサーバ５０は、容易に相互間のデータ伝送が必要な場所に多様に適用される。第１情報処理装置１０は、例えば、ディスプレイ部１１を持つテーブル、電子黒板、看板、電子額縁、電子本、タブレットＰＣ、スマートＴＶ、広告看板、キオスク、料金決済システム（ＰＯＳ）、クーポン発行機、展示情報案内機、地下鉄改札機、コンピュータ、デスクトップパソコン、ラップトップパソコン、スマートフォン、スマートパッド、コンピュータ周辺機器、家電製品、知能型ホーム及び建物制御システム、知能型自動車情報システム、出入保安システム、認証システム、ナビゲーション、家具、ガラス窓及び壁面であり、第２情報処理装置は、ユーザが携帯しやすい小型の移動通信機器、例えば、携帯電話、ネットブック、タブレットＰＣ、イーブック端末器、ノートパソコンなどのモバイルコンピューティング装置である。
【０１４４】
図５は、本発明の他の実施形態による第１情報処理装置及び第２情報処理装置を示す模式図である。
【０１４５】
図５を参照すれば、一実施形態による第１情報処理装置は、ディスプレイ部を持ち、公共場所に設けられ、タッチスクリーン方式により、各種行政手続きや商品／物品／作品情報、施設物の利用方法、隣近地域についての観光情報などの情報を伝達するシステムであるキオスク１０＿１である。キオスク１０＿１にマッピングされる第２情報処理装置は、スマートフォン４０＿１である。
【０１４６】
ユーザ１は、スマートフォン４０＿１の光センサーモジュールをキオスク１０＿１の表面と焦点距離未満で隣接させたり、キオスク１０＿１の表面に接触して、キオスク１０＿１のディスプレイ部１１に表示される端末器コール信号を受信し、これに対する応答信号を送出する。ネットワーク上のマッピングサーバ（図示せず）は、前記端末器コール信号と前記応答信号とを受信してマッピングすることにより、キオスク１０＿１とスマートフォン４０＿１とを互いにリンクさせる。これにより、ユーザ１は、キオスク１０＿１のディスプレイ部１１に表示される様々な電子的資料をダウンロードしたり、自身のスマートフォン４０＿１の電子的資料をアップロードする。例えば、キオスク１０＿１が博物館情報を提供するシステムの場合、ユーザ１は、自身のスマートフォン４０＿１からキオスク１０＿１が提供する博物館地図、展示日程などの情報を伝達されて用いることができ、キオスク１０＿１がクーポンや入場券の発行機を含む場合には、キオスク１０＿１からスマートフォン４０＿１へクーポンや入場券が伝送される。
【０１４７】
なお、他の実施形態において、キオスク１０＿１は料金決済システム（ＰＯＳ）であってもよい。この場合、リンクされたスマートフォン４０＿１は、料金決済システム（ＰＯＳ）にカード情報、口座情報及びパスワードのうちいずれか一つ以上の信用情報を伝達し、決済が完了すれば、料金決済システム（ＰＯＳ）からディスプレイ部を介して決済が完了したことを表すクッキーなどの情報を受信する。これは例示的であり、本発明がこれに制限されるものではない。
【０１４８】
他の実施形態において、第１情報処理装置は、ディスプレイ部を持つ認証システム１０＿２である。認証システム１０＿２は、ドアなどに設けられる。第２情報処理装置は、認証システム１０＿２により通行資格があるか否かを検証する電子キーまたは電子キーの機能を行うスマートフォン４０＿２である。例えば、スマートフォン４０＿２がキオスク１０＿１の料金決済システム（ＰＯＳ）を用いて出入チケットをダウンロードした場合、スマートフォン４０＿２は出入認証が完了した状態にある。
【０１４９】
ユーザ２は、出入認証されたスマートフォン４０＿２の光センサーモジュールを認証システム１０＿２のディスプレイ部１１に近接させて表示された端末器コール信号を受信し、出入認証に係る情報を応答信号として送出することにより、認証システム１０＿２とスマートフォン４０＿２は互いにマッピングされ、適切な後続命令が実行される。例えば、認証システム１０＿２は、出入認証されたスマートフォン４０＿２の応答信号に基づいてドアを開放させる。
【０１５０】
認証されたスマートフォン４０＿３を持つユーザ３は、認証システム１０＿２が制御したり、認証システム１０＿２とネットワーク上で連結された様々な情報処理装置に接近する。例えば、上述の方法により認証されたスマートフォン４０＿３は、認証システム１０＿２に連結された博物館内の情報提供部とデータまたは情報を共有し、各作品を表すバーコード、ＱＲコードまたはＮＦＣ（ｎｅａｒ  ｆｉｅｌｄ  ｃｏｍｍｕｎｉｃａｔｉｏｎ）６０のようなタグをスマートフォン４０＿３で認識して、作品についての説明を提供する保存場所に容易に接近することができる。前記保存場所の接近を認証システム１０＿２により認証されたスマートフォン４０＿２のみで許容する場合、情報の保安性を維持できることになる。
【０１５１】
上述の実施形態は、博物館という特定の場所と、キオスク及び認証システムの第１情報処理装置と、スマートフォンの第２情報処理装置とに係るものであるが、本発明がこれに限定されるものではない。当業者ならば、展示館、カンファレンスホール、コンサートホール、映画館、企業広報館、オフラインマーケット、病院、汽車駅、地下鉄駅、バス停留所、空港などの公共場所で、写真、音楽、文書、広告、データベース、クーポン、商品説明書、地図、電子マネー、品目購買情報、決済情報、ウェブリンク情報、出入認証情報、保安情報、第１または他の第２端末器で実行可能な任意の命令の集合であるソフトウェアアプリケーションの伝達、共有、交換及び実行にも適用されることを理解できるであろう。
【０１５２】
また、本発明の実施形態によれば、光センサーモジュールを持ち、かつネットワーク機能を有するスマートフォンのような大衆化されて普遍的な最小限の仕様を持つ端末器だけで、特定の場所で要求される電子的資料の交換、伝達及び／または共有だけでなく、認証または資格のような新規の情報を付加することにより、装置の所有者に対する認証や装置自体に要求される認証サービスにも拡張されて用いられる。
【０１５３】
図６は、本発明のさらに他の実施形態による第１情報処理装置及び第２情報処理装置を示す模式図である。
【０１５４】
図６を参照すれば、第１情報処理装置はスマートＴＶ  １０＿４であり、第２情報処理装置はタブレットＰＣ  ４０＿４である。スマートＴＶ  １０＿４及びタブレットＰＣ  ４０＿４は、第１及び第２ネットワーク６１、６２にそれぞれ連結され、前記第１及び第２ネットワークは、同一であるか異なるネットワークである。なお、前記第１及び第２ネットワークは、有線または無線ネットワークのうちいずれか一つまたはこれらが混合した形態である。
【０１５５】
スマートＴＶ  １０＿４及びタブレットＰＣ  ４０＿４は、図１Ａないし図４を参照して説明したように、スマートＴＶ  １０＿４の画面上に表示される端末器コール信号と、これに対するタブレットＰＣ  ４０＿４の応答信号とに基づいて、マッピングサーバ（図示せず）により互いにマッピングされ、マッピングされた後には互いにネットワークを介してペアリングされる。前記ペアリングにより、相互間の情報の伝達、共有、交換、遠隔制御、あるいはスマートフォンＴＶ  １０＿４またはタブレットＰＣ  ４０＿４で実行可能な所定の命令が実行される。例えば、ユーザは、ペアリングされたタブレットＰＣ  ４０＿４を介して、スマートＴＶ  １０＿４の遠隔制御、チャンネル変更、ボリューム制御、マルチメディアデータ伝送、スクリーンシェアリング（Ｓｃｒｅｅｎ  Ｓｈａｒｉｎｇ）を行う。または、スマートＴＶが提供する放送コンテンツによって、これを享受するためのインタラクティブインターフェースが、ペアリングされたタブレットＰＣ  ４０＿４を介して提供される。例えば、ユーザがスマートＴＶ  １０＿４の画面に表示された商品情報をスマートフォン４０＿４にドラッグすれば、当該商品の購買がなされたり買物かごに保存する機能が行われる。
【０１５６】
上述の実施形態は、スマートＴＶとタブレットＰＣに係るものであるが、当業者ならば、本開示事項から、個人用ＰＣとスキャナ、プリンター、キーボード、マウス、レーザーポインタ、ＵＳＢメモリ、外部記憶装置などのコンピュータ周辺機器、タブレットＰＣまたはスマートフォン間のペアリングにより変形可能であることを理解できるであろう。また、ディスプレイ部が設置できるか予め設置されているテーブル、電子黒板、看板、電子額縁、電子本、タブレットＰＣ、スマートＴＶ；冷蔵庫、電気レンジ、インダクションレンジ、オーブンなどの家電製品；ビルまたは建物管理システム、あるいはホームネットワーキングシステム；ナビゲーションまたはインテリジェントカーシステム；またはスマートグリッドシステムにも本発明が適用される。このような装置において、本発明の実施形態によるペアリングによれば、ユーザ入力システムが拡張されたりインタラクティブして知能化される。
【０１５７】
単一の第１情報処理装置と、一つまたは複数の第２情報処理装置とのマッピング及び／またはリンクを開示しているが、これは例示的であり、本発明がこれに制限されるものではない。例えば、複数の第１情報処理装置と複数の第２情報処理装置の多対多のリンクも成り立っている。このために、マッピングサーバは、第１情報処理装置の間を予め連結し、上述のように第２情報処理装置を各第１情報処理装置にリンクすることで多対多のリンクを達成できる。また、複数の第１情報処理装置または複数の第２情報処理装置の１対１または多対多のリンクも成り立っている。このために、複数の第１情報処理装置または複数の第２情報処理装置は、ディスプレイ領域及び光センサーモジュールを全て備える。
【０１５８】
図７は、本発明の一実施形態によるコンピュータで読み取り可能な記録メディア２００を示す。
【０１５９】
図７を参照すれば、記録メディア２００は、本明細書に開示されたマッピング方法２３０及びマッピングシステムを具現するための命令２２０からエンコーディングされたデータ２１０を含む。前記命令の例には、コンパイラにより作られるような機械語コードだけでなく、インタープリターなどを使用してコンピュータにより実行可能な高級言語コードを含む。
【０１６０】
このようなコンピュータで読み取り可能な記録メディア２００は、例えば、ＲＡＭ、ＲＯＭ、ＥＥＰＲＯＭ及びフラッシュメモリなどの不揮発性メモリ装置、ＣＤ−ＲＯＭ、ＤＶＤ−ＲＯＭ、ハードディスク、光またはホログラフメディア、磁気テープ、固体記憶装置（ＳＳＤ）であり、これは例示的であり、本発明がこれに制限されるものではない。
【０１６１】
上述の本発明の実施形態は、プログラミング及び／または工学技術を用いて、ソフトウェア、ファームウェア、ハードウェア、製造物、または、例えば、クラウディングコンピュータ環境などのこれらが組み合わせられたものを生産するために、前記方法、システムまたは記録メディアの形態に実行され、前記製造物は、コンピュータプログラム、搬送波またはメディアを全て含む。
【０１６２】
以上で説明した本発明は、上述の実施形態及び添付された図面に限定されず、本発明の技術的思想を逸脱しない範囲内で、色々な置換、変形及び変更が可能であるということは、当業者にとって明らかである。
【図１Ａ】
2015532720.tif 000003
【図１Ｂ】
2015532720.tif 000004
【図２】
2015532720.tif 000005
【図３】
2015532720.tif 000006
【図４】
2015532720.tif 000007
【図５】
2015532720.tif 000008
【図６】
2015532720.tif 000009
【図７】
2015532720.tif 000010
【国際調査報告】
2015532720.tif 000011
2015532720.tif 000012
2015532720.tif 000013
2015532720.tif 000014